(57)【特許請求の範囲】
【請求項１】
加熱処理による滅菌処理が行われる医療用施術具と、該医療用施術具を着脱自在に接続する医療用機器本体とで構成される医療用診療装置であって、
前記医療用施術具に、
個別の識別情報を記憶する識別情報記憶部を備えた識別体と、
少なくとも前記加熱処理の処理温度を測定する温度測定部と、
時刻を計測する計時部とが備えられ、
前記医療用機器本体に、
前記医療用施術具の接近により、非接触で前記識別情報を前記識別体から読取る読取部と、
前記識別情報を読み込んで前記医療用施術具を識別する識別部と、
滅菌処理情報及び、使用検知情報に基づいて、前記医療用施術具の使用の可否を判定する使用判定部とが備えられ、
前記医療用施術具に、
前記識別体と前記読取部とを接近させることにより、前記使用判定部の判定結果に基づいて少なくとも滅菌処理されていないことによる所定の動作を行う所定動作部が備えられ、
前記使用検知情報は、前記医療用施術具の使用を検知した情報であり、少なくとも前記医療用施術具の使用を終了した終了時刻を前記計時部で計測した終了時間情報が含まれ、
前記滅菌処理情報は、前記温度測定部で測定した前記処理温度に関する処理温度情報及び前記計時部で計測した滅菌時間に関する滅菌時間情報が含まれ、
前記滅菌時間情報は、前記滅菌処理の開始と終了との時刻の情報とが含まれ、
前記使用判定部は、
前記滅菌処理が未処理である、あるいは滅菌処理後に前記医療用施術具が使用された前記滅菌処理情報及び前記使用検知情報に基づき、前記医療用施術具が使用不可であると判定する
医療用診療装置。
【請求項２】
前記計時部から時刻の読取制御を行う時間読取制御部が備えられ、
前記使用検知情報は、前記終了時間情報に加えて、前記医療用施術具の使用を検知した検知結果情報が含まれ、
前記終了時間情報は、少なくとも前記時間読取制御部で読み込まれており、
前記滅菌処理時間は、
前記時間読取制御部で読み込まれる
請求項１に記載の医療用診療装置。
【請求項３】
前記滅菌処理時間は、
前記時間読取制御部で読み込んだ前記滅菌処理の開始時間と、前記滅菌処理の終了時間との間隔である
請求項２に記載の医療用診療装置。
【請求項４】
少なくとも滅菌処理温度および前記滅菌処理時間に基づいて前記滅菌処理を行った滅菌処理回数を算出する滅菌処理回数処理部と、
前記滅菌処理回数に基づいて前記医療用施術具の交換の要否を判定する交換判定部とが備えられ、
前記所定動作部が、前記交換判定部の判定結果に基づいて所定の動作を行う構成である
請求項２または請求項３に記載の医療用診療装置。
【請求項５】
前記識別体は、耐熱性の電池が内蔵されているＲＦＩＤで構成された
請求項４に記載の医療用診療装置。
【請求項６】
前記医療用施術具は、
前記医療用機器本体に設けられた本体側接続部と接続する施術具側接続部が備えられ、
前記所定動作部として機能し、前記本体側接続部と前記施術具側接続部との接続を防止する接続防止形状を形成する接続障害部が備えられた
請求項４または請求項５に記載の医療用診療装置。
【請求項７】
前記本体側接続部または前記施術具側接続部の少なくとも一方には、
前記本体側接続部と前記施術具側接続部との接近を検出する接近検出部と、
該接近検出部での検出結果に基づいて、前記本体側接続部と前記施術具側接続部との接近に関して報知する接近報知部とが備えられた
請求項６に記載の医療用診療装置。
【請求項８】
前記使用検知情報に基づいて、少なくとも使用された前記医療用施術具の使用を前記医療用施術具毎に報知する使用報知部が備えられた
請求項１乃至請求項７のうちのいずれかに記載の医療用診療装置。
【請求項９】
前記医療用施術具の取替を検出する交換検出部と、
前記滅菌処理情報に基づいて前記報知部により前記医療用施術具の使用報知を解除する報知解除部とが備えられた
請求項８に記載の医療用診療装置。
【請求項１０】
前記所定動作部として機能し、所定の報知動作を行う報知部が備えられた
請求項１乃至請求項９のうちのいずれかに記載の医療用診療装置。
【請求項１１】
前記報知部が、発光が可能な光出力部で構成された
請求項１０に記載の医療用診療装置。
【請求項１２】
前記所定動作部として機能し、警告表示を表示する警告表示部を備えた
請求項１乃至請求項１１のうちのいずれかに記載の医療用診療装置。
【請求項１３】
医療用機器本体と接続して使用する医療用施術具であって、
前記医療用機器本体に設けられた読取部の接近により、非接触で前記医療用機器本体に読み取られる、個別の識別情報を記憶する識別情報記憶部を備えた識別体と、
少なくとも加熱処理による滅菌処理の処理温度を測定する温度測定部と、
時刻を計測する計時部と、
滅菌処理情報及び、使用検知情報に基づいて、前記医療用施術具の使用の可否を判定する使用判定部の判定結果に基づいて、所定の動作を行う所定動作部とが備えられ、
前記使用検知情報は、前記医療用施術具の使用を検知した情報であり、少なくとも前記医療用施術具の使用を終了した終了時刻を前記計時部で計測した終了時間情報が含まれ、
前記滅菌処理情報は、前記温度測定部で測定した前記処理温度に関する処理温度情報及び前記計時部で計測した滅菌時間に関する滅菌時間情報が含まれ、
前記滅菌時間情報は、前記滅菌処理の開始と終了との時刻の情報とが含まれ、
前記所定動作部は、
前記滅菌処理が未処理である、あるいは滅菌処理後に前記医療用施術具が使用された前記滅菌処理情報及び前記使用検知情報に基づき、前記医療用施術具が使用不可であるとの前記使用判定部の判定結果に基づいて、少なくとも滅菌処理されていないことによる所定の動作を行う
医療用施術具。
【請求項１４】
前記計時部から時刻の読取制御を行う時間読取制御部が備えられ、
前記使用検知情報は、
前記医療用施術具の使用を検知した検知結果情報と、少なくとも前記時間読取制御部で読み込まれた前記終了時間情報とが含まれ、
前記滅菌処理時間は、
前記時間読取制御部で読み込まれる
請求項１３に記載の医療用施術具。
【請求項１５】
前記滅菌処理時間は、
前記時間読取制御部で読み込んだ前記滅菌処理の開始時間と、前記滅菌処理の終了時間との間隔である
請求項１４に記載の医療用施術具。
【請求項１６】
少なくとも滅菌処理温度および前記滅菌処理時間に基づいて前記滅菌処理を行った滅菌処理回数を算出する滅菌処理回数処理部と、
前記滅菌処理回数に基づいて前記医療用施術具の交換の要否を判定する交換判定部と、
該交換判定部の判定結果に基づいて、前記医療用施術具の交換の要否を報知する交換報知部とが備えられた
請求項１５に記載の医療用施術具。
【請求項１７】
前記識別体を、耐熱性の電池が内蔵されているＲＦＩＤで構成した
請求項１３に記載の医療用施術具。
【請求項１８】
前記医療用機器本体に設けられた本体側接続部と接続する施術具側接続部を備え、
前記所定動作部として機能し、前記本体側接続部と前記施術具側接続部との接続を防止する接続防止形状を形成する接続障害部を備えた
請求項１３乃至請求項１７のうちのいずれかに記載の医療用施術具。
【請求項１９】
前記所定動作部として機能し、所定の報知動作を行う報知部が備えられた
請求項１３乃至請求項１８のうちのいずれかに記載の医療用施術具。
【請求項２０】
前記報知部が、発光が可能な光出力部で構成された
請求項１９に記載の医療用施術具。
【請求項２１】
前記使用検知情報に基づいて、少なくとも使用されたこと報知する使用報知部が備えられた
請求項１３乃至請求項２０のうちのいずれかに記載の医療用施術具。
【発明の詳細な説明】
【技術分野】
【０００１】
この発明は、歯科又は医科等の医療分野において、施術に使用される医療用診療装置およびその診療装置を構成する医療用施術具に関する。
【背景技術】
【０００２】
例えば、歯科医療分野において歯牙の治療や根管治療などに使用する医療用施術具には、医療用機器本体で制御するエアータービンハンドピースおよびマイクロモータハンドピースなどのハンドピースや、超音波等の振動により歯牙を清掃するスケーラーハンドピース、導波路を介して治療用レーザ発生器に接続されるレーザハンドピースなどがある。
【０００３】
このような医療用施術具を医療用機器本体に接続することにより、医療用施術具毎に適した駆動条件を読み込んで制御する医療用診療装置が、特許文献１に公開されている。  
詳述すると、特許文献１に記載の医療用診療装置は、医療用施術具(ハンドピース)に通信機能を有し、かつ、前記医療用施術具の識別情報を記憶した識別体を設け、前記医療用機器本体が識別情報を読み込むことで、適した駆動条件で前記医療用施術具を駆動制御できる。
【０００４】
これにより、接続時に複数ある医療用施術具の駆動条件を個々に設定する必要がないとされている。また、滅菌処理の履歴を医療用機器本体側に記憶させることで、識別情報の読込に伴って、医療用施術具の滅菌処理済かを判定できる。
【０００５】
しかしながら、特許文献１に記載の医療用診療装置は、滅菌未処理の医療用施術具を医療用機器本体と接続することができるため、滅菌未処理の医療用施術具が使用されるおそれがあった。
【先行技術文献】
【特許文献】
【０００６】
【特許文献１】特開２００４−４１５８７号公報
【発明の概要】
【発明が解決しようとする課題】
【０００７】
この発明は、上記問題点に鑑み、医療用施術具が滅菌処理済か滅菌未処理かを判定して、滅菌未処理の前記医療用施術具の使用を防止できる医療用診療装置および医療用施術具を提供することを目的とする。
【課題を解決するための手段】
【０００８】
この発明は、加熱処理による滅菌処理が行われる医療用施術具と、該医療用施術具を着脱自在に接続する医療用機器本体とで構成される医療用診療装置であって、前記医療用施術具に、個別の識別情報を記憶する識別情報記憶部を備えた識別体と、少なくとも前記加熱処理の処理温度を測定する温度測定部と、時刻を計測する計時部とが備えられ、前記医療用機器本体に、前記医療用施術具の接近により、非接触で前記識別情報を前記識別体から読取る読取部と、前記識別情報を読み込んで前記医療用施術具を識別する識別部と、滅菌処理情報及び、使用検知情報に基づいて、前記医療用施術具の使用の可否を判定する使用判定部とが備えられ、前記医療用施術具に、前記識別体と前記読取部とを接近させることにより、前記使用判定部の判定結果に基づいて少なくとも滅菌処理されていないことによる所定の動作を行う所定動作部が備えられ、前記使用検知情報は、前記医療用施術具の使用を検知した情報であり、少なくとも前記医療用施術具の使用を終了した終了時刻を前記計時部で計測した終了時間情報が含まれ、前記滅菌処理情報は、前記温度測定部で測定した前記処理温度に関する処理温度情報及び前記計時部で計測した滅菌時間に関する滅菌時間情報が含まれ、前記滅菌時間情報は、前記滅菌処理の開始と終了との時刻の情報とが含まれ、前記使用判定部は、前記滅菌処理が未処理である、あるいは滅菌処理後に前記医療用施術具が使用された前記滅菌処理情報及び前記使用検知情報に基づき、前記医療用施術具が使用不可であると判定することを特徴とする。
【０００９】
またこの発明は、医療用機器本体と接続して使用する医療用施術具であって、前記医療用機器本体に設けられた読取部の接近により、非接触で前記医療用機器本体に読み取られる、個別の識別情報を記憶する識別情報記憶部を備えた識別体と、少なくとも加熱処理による滅菌処理の処理温度を測定する温度測定部と、時刻を計測する計時部と、滅菌処理情報及び、使用検知情報に基づいて、前記医療用施術具の使用の可否を判定する使用判定部の判定結果に基づいて、所定の動作を行う所定動作部とが備えられ、前記使用検知情報は、前記医療用施術具の使用を検知した情報であり、少なくとも前記医療用施術具の使用を終了した終了時刻を前記計時部で計測した終了時間情報が含まれ、前記滅菌処理情報は、前記温度測定部で測定した前記処理温度に関する処理温度情報及び前記計時部で計測した滅菌時間に関する滅菌時間情報が含まれ、前記滅菌時間情報は、前記滅菌処理の開始と終了との時刻の情報とが含まれ、前記所定動作部は、前記滅菌処理が未処理である、あるいは滅菌処理後に前記医療用施術具が使用された前記滅菌処理情報及び前記使用検知情報に基づき、前記医療用施術具が使用不可であるとの前記使用判定部の判定結果に基づいて、少なくとも滅菌処理されていないことによる所定の動作を行うことを特徴とする。
【００１０】
前記医療用施術具は、前記医療用機器本体から取り外して滅菌処理が可能な医療用施術具を指し、例えば、歯科用エアータービンハンドピースや、マイクロモータハンドピース、エアーモーターハンドピース、スケーラーハンドピース、レーザ治療用ハンドピース、根管治療用ハンドピース、口腔外科手術用ハンドピースなどを含む。
【００１１】
前記医療用機器本体は、前記医療用施術具に空気や水などの媒体を供給するチューブと連結した歯科用チェアーユニットや、前記歯科用チューブの先端に前記医療用施術具と接続が可能なモータを備えた歯科用チェアーユニット、前記歯科用チェアーユニットとは別体のアシスタント用のインスツルメント、持ち運び可能な往診用診療装置、レーザ治療装置などを含む。
【００１２】
上述の加熱処理による滅菌処理とは、いわゆるオートクレーブを用いた滅菌処理をさす。  
上述の処理温度を測定するとは、常に温度を測定する場合や、所定の時間間隔で温度を測定する場合、前記処理温度が所定の温度を超えた時にその温度を経時的または断続的に測定する場合や、例えばサーモスタットのように所定の温度を超えたことを判別することで温度を測定する場合などを含む。
【００１３】
前記処理温度情報は、前記温度測定部の測定結果に基づく前記滅菌処理の処理温度に関する情報であり、例えば、前記温度測定部で前記処理温度を測定した測定日や、前記処理温度の値、前記処理温度の温度変化、前記処理温度が所定の温度を超えた時刻、サーモスタットのように所定の温度を超えた場合に回路を切り替えた回数や時間などの履歴情報などを含む。
【００１４】
上述の前記医療用施術具の使用を検知するとは、例えば、前記医療用施術具を保持する保持部からの取上げ又は引き出しした場合に前記保持部に備えた検知部で検知することや、前記医療用施術具を操作するフートコントローラ等の操作信号を検知すること、前記医療用施術具に係る負荷値を検知することなどを含む。
【００１５】
前記使用検知情報は、前記医療用施術具の使用に関する情報であり、例えば、前記医療用施術具を使用した日にちや時刻、使用回数、使用し続けた時間、使用した患者情報などの履歴を含む。  
前記滅菌処理情報は、前記処理温度情報や、前記処理温度情報に基づいて前記医療用施術具の滅菌処理済または滅菌未処理を判定された情報を前記処理温度情報に加えた情報とを含む。
【００１６】
なお、前記使用検知情報は前記滅菌処理情報とは個別独立した情報である必要はなく、例えば、前記使用検知情報と前記滅菌処理情報とを時系列に沿って記録した履歴情報のように、前記使用検知情報と前記滅菌処理情報とを一連の情報とする場合であってもよい。
【００１７】
前記識別部は、非接触で通信が可能なＲＦＩＤ（radio  frequency  identifier）や、前記医療用施術具に予め備えた特定の値の抵抗やコンデンサ、コイルなど用いて識別する識別部などを含む。なお、抵抗やコンデンサ、コイルである場合には、前記医療用施術具と前記医療用機器本体とを接続する前記チューブの接続部との間で接合や解離することにより検出する構成などである。
【００１８】
上述の所定の動作とは、ブザーやメロディなどの音を用いて報知することや、単数または複数個のＬＥＤランプなどの光源を点灯や点滅、消灯させるなどの光を用いて報知すること、前記医療用機器本体または医療用施術具に設けた表示部に使用の可否などを表示すること、音声で知らせること、前記医療用施術具を振動させること、前記医療用機器本体から前記医療用施術具への駆動信号の伝達の遮断や続行、エアーや電気などの作用媒体の供給の制御などの他、前記医療用機器本体に備えた前記制御部により前記医療用施術具であるハンドピースなどの駆動を制御することや、洗浄水の供給などの副次的な媒体の供給の停止なども含む。なお、これらの動作を単一に行う場合や、複数の動作を並行してもしくは別々に行う場合を含む。
【００１９】
前記識別体は、前記読取部との間で通信機能を有する識別体であり、前記通信機能には、例えば、ＲＦＩＤなどのように電波を利用した通信機能や、赤外線を利用した通信機能、磁力を利用した通信機能、バーコードやＱＲコード（登録商標）のように光を利用した通信機能、画像認識を利用した通信機能などを含む。
【００２０】
これらの発明により、医療用施術具が滅菌処理済か滅菌未処理かを判定して、滅菌未処理の前記医療用施術具の使用を防止できる。  
詳述すると、前記使用検知部を備えていることにより、例えば前記医療用施術具が使用されたことを把握できる。そのうえで、前記処理温度情報に基づく前記滅菌処理情報と前記使用検知情報とに基づいて前記医療用施術具の使用の可否を判定するとともに、判定結果に基づいて例えば音を発することや表示を行うなどの報知や前記医療用施術具の駆動の停止などの所定動作が行われるため、施術者が滅菌未処理の医療用施術具を誤って次の患者に再使用することを防止できる。
【００２１】
また、例えば、前記医療用施術具に前記温度測定部を備えられていることにより、前記医療用施術具は滅菌処理の処理温度を測定して、その測定結果に基づいて前記医療用施術具の滅菌処理が行われたか否かを判定することができる。すなわち、前記医療用施術具を前記医療用機器本体から取り外し、加熱処理による前記滅菌処理を行った場合でも、前記処理温度情報を読み込むことで、前記医療用施術具が滅菌処理されたか否かを判定できる。
【００２２】
これにより、例えば前記医療用施術具が滅菌処理済である旨の情報を手入力することなく、前記医療用施術具が滅菌処理されたか否かを判定することができる。
【００２３】
また、前記医療用施術具は、前記情報記憶部を備えた識別体が設けられ、前記医療機器本体は、前記医療用施術具の接近により、非接触で前記識別情報を前記識別体から読取る読取部が設けられたことにより、前記医療用施術具と前記医療用機器本体と接触させることなく識別情報を読み取ることができるため、非接触で前記医療用施術具が滅菌処理済かを判定できる。したがって、前記医療用施術具を前記医療用機器本体に接続させる必要が無いため、接続しようとする前記医療用施術具が滅菌処理を万一行っていない場合であっても、滅菌処理済でない前記医療用施術具を前記医療用機器本体に接続することで前記医療用機器本体が汚染されることを防ぐことが出来る。
【００２４】
この発明の態様として、前記計時部から時刻の読取制御を行う時間読取制御部が備えられ、前記使用検知情報は、前記終了時間情報に加えて、前記医療用施術具の使用を検知した検知結果情報が含まれ、前記終了時間情報は、少なくとも前記時間読取制御部で読み込まれており、前記滅菌処理時間は、前記時間読取制御部で読み込まれることを特徴とすることができる。
【００２５】
前記時間は、日にちおよび時分を含めた時刻や、所定の時間間隔を含む。  
上述の前記処理温度に対応する滅菌処理時間とは、例えば、前記温度測定部で測定した前記処理温度に対する時刻や、前記処理温度が所定の温度以上に変化した時刻、前記処理温度が前記所定の温度以下に変化した時刻、前記処理温度が所定の温度以上である間の時間、これらの組み合わせなどを含む。
【００２６】
この発明により、前記医療用施術具の使用時期と滅菌処理の時期とに基づいて、前記医療用施術具の使用の可否を判定することができる。  
詳述すると、前記計時部および前記時間読取制御部を備えることにより、前記滅菌処理時間に基づく前記滅菌処理時間情報と前記処理温度情報から前記医療用施術具が滅菌処理済か滅菌未処理かを判定できる。また、前記終了時間情報を含む前記使用検知情報と前記滅菌処理時間に基づく前記滅菌処理情報とを比較判定することにより、前記医療用施術具の使用時期と滅菌時期との先後を正確に判定できる。
【００２７】
つまり、使用後に滅菌処理がされていない前記医療用施術具が前記医療用機器本体に接続されることで前記所定動作部が所定動作を行う場合の他、前記医療用施術具が滅菌処理済であっても、その後の使用により滅菌未処理となることで前記所定動作部が所定動作を行う場合でも、前記医療用施術具の使用の可否をより確実に判定することができる。したがって、施術者が滅菌未処理の医療用施術具を使用することをより確実に防止できる。
【００２８】
また、例えば、前記計時部および前記時間読取制御部、使用判定部を備えることにより、前記医療用施術具と前記医療用機器本体とが接続または離脱した時間を検出することができる。これにより、前記医療用施術具の使用後に前記滅菌処理を行っている、つまり、滅菌処理済とであるため使用可能と判定されているが、前記滅菌処理した時から時間が経過し過ぎているため再度滅菌処理が必要である場合などを判定し、前記医療用施術具の再使用を防止することができる。
【００２９】
またこの発明の態様として、前記滅菌処理時間は、前記時間読取制御部で読み込んだ前記滅菌処理の開始時間と、前記滅菌処理の終了時間との間隔であることを特徴とすることができる。  
この発明により、前記滅菌処理の開始時間と、前記滅菌処理の終了時間に基づいて、前記滅菌処理が確実にされているか否かを判定することができる。すなわち、滅菌処理が所望の処理温度で必要な時間かけて行われたかを判定できるため、前記滅菌処理が十分に行われたか否かをより正確に判定できる。したがって、施術者は確実に滅菌処理が行われた前記医療用施術具を用いることができ、滅菌未処理の医療用施術具が使用されることを予防でき、安全に施術できる。
【００３０】
またこの発明の態様として、少なくとも滅菌処理温度および前記滅菌処理時間に基づいて前記滅菌処理を行った滅菌処理回数を算出する滅菌処理回数処理部と、前記滅菌処理回数に基づいて前記医療用施術具の交換の要否を判定する交換判定部とが備えられ、前記所定動作部が、前記交換判定部の判定結果に基づいて所定の動作を行う構成としたことを特徴とすることができる。
【００３１】
前記滅菌処理回数は、諸条件で滅菌処理が行われた前記医療用施術具の滅菌処理の回数を、所定の条件で前記滅菌処理を行った場合を基準として算出した滅菌処理回数をさし、例えば、基準となる滅菌条件に対する滅菌処理温度や滅菌処理時間の違いに基づいて負荷係数を設けて算出された滅菌処理回数や、所定の滅菌処理条件に対して予め決定された回数を加算した滅菌処理回数、前記滅菌処理回数の積算値（以下、積算滅菌処理回数とする）に基づいて前記医療用施術具の劣化を考慮して算出された滅菌処理回数などを含む。  
上述の前記医療用施術具の交換とは、前記医療用施術具本体の交換や、例えば内部に備えたモータやＯリングなど前記医療用施術具を構成する消耗部品の交換なども含む。
【００３２】
上述の交換の要否を判定するとは、例えば、前記識別部に予め記憶してある積算滅菌処理回数の限界値と前記積算滅菌処理回数とを比較して判定する場合や、積算滅菌処理回数の限界値に所望の係数を乗算した値と前記積算滅菌処理回数とを比較して判定する場合、積算滅菌処理回数の限界値の範囲内で施術者が決定した積算処理回数と比較して判定する場合、積算処理回数が所定の値を超えたことを判定する場合などを含む。
【００３３】
上述の前記交換判定部の判定結果に基づいて所定の動作を行うとは、前記医療用施術具を交換する必要がある場合に、ブザーやメロディなどの音や光の点滅や点灯、表示部への表示などにより報知することの他、例えば、交換を要するまでの処理の許容回数を文字として表示部に表示して報知すること、前記医療用施術具を振動させること、前記医療用機器本体から前記医療用施術具への駆動信号の伝達の遮断や続行、エアーや電気などの作用媒体の供給を制御することなどを含む。特に前記医療用施術具が滅菌未処理であると判定された場合と異なる所定動作を行う構成とすることで交換の要否を認識できる。
【００３４】
この発明により、前記医療用施術具が滅菌処理済であっても、施術者は施術前に前記医療用施術具が交換すべきであることを認識でき、使用できる医療用施術具に交換することができる。これにより、施術中に前記医療用施術具の交換をすることなくスムーズに施術を行うことができるとともに、患者が不安感を抱くことを防止できる。
【００３５】
また、オートクレーブの処理温度や時間を前記医療用施術具に応じて最適な処理温度や時間に設定できる場合には、処理条件に応じて前記医療用施術具の耐久性の判断基準が変わることとなるが、前記滅菌処理回数処理部を備えることにより、滅菌処理の条件に応じて、前記基準滅菌処理回数を基準とした前記滅菌処理回数に換算できるため、滅菌条件が異なっている場合であっても、前記医療用施術具が滅菌処理された回数を算出することができる。これにより、例えば、前記識別情報に予め保存した前記医療用施術具の滅菌処理の限度回数と前記積算滅菌処理回数とを比較判定して、前記医療用施術具の交換の要否を報知でき、施術者は前記医療用施術具の交換を把握することができる。
【００３６】
このように、様々な滅菌処理の条件で滅菌処理しても所定の規格に基づいて前記医療用施術具の交換時期を判定することができるため、例えば、前記医療用施術具を、業者が推奨する滅菌処理条件よりも長い時間かけて滅菌処理した場合などであっても、施術者は正確に前記医療用施術具の交換時期を把握することができ、施術者は安全に施術を行える医療用施術具を選択することができる。
【００３７】
またこの発明の態様として、前記識別体は、耐熱性の電池が内蔵されているＲＦＩＤで構成されたことを特徴とすることができる。  
前記ＲＦＩＤは、アクティブ型やセミアクティブ型のＲＦＩＤをさす。
【００３８】
この発明により、前記医療用施術具と前記医療用機器本体とを接続することなく非接触で前記医療用施術具が滅菌処理済かを判定できるとともに、繰り返し前記加熱処理による滅菌処理を行っても、確実に処理温度を測定できる。
【００３９】
またこの発明の態様として、前記医療用施術具は、前記医療用機器本体に設けられた本体側接続部と接続する施術具側接続部が備えられ、前記医療用機器本体または前記医療用施術具の少なくとも一方には、前記所定動作部として機能し、前記本体側接続部と前記施術具側接続部との接続を防止する接続防止形状を形成する接続障害部が備えられたことを特徴とすることができる。
【００４０】
上述の接続防止形状を形成するとは、前記医療用機器本体と前記医療用施術具との接続に対して物理的な障害となる接続防止形状を形成する場合や、前記医療用機器本体と前記医療用施術具とが接続されていても、接続状態を保持できないような形状を形成する場合、前記本体側接続部および前記施術具側接続部の形状を変形させる場合を含む。
【００４１】
具体的には、前記本体側接続部または前記施術具側接続部の少なくとも一方に接続を妨げる突出片を突出させることや、前記本体側接続部または前記施術具側接続部の少なくとも一方の接続部位を陥没させること、前記本体側接続部または前記施術具側接続部にそれぞれ備えた凹部と凸部とが嵌合することにより接続する場合に、前記凸部を前記凹部に挿入することを防止するように前記凹部の窪み方向に向けて突出片を突出させること、前記本体側接続部および前記施術具側接続部以外の位置に設けた接続障害部を、所定の位置を中心として枢動することで前記接続障害部が接続を防止する位置に配置されることなどを含む。すなわち、前記本体側接続部または前記施術具側接続部との接続を防止できる形状であればどのような形状であっても良い。  
なお、前記突出片が接続を防止する位置に突出する場合においては、前記突出片の突出方向は前記医療用施術具の長手軸方向であっても良いし、径方向や斜め方向であっても良い。
【００４２】
この発明により、滅菌未処理の前記医療用施術具と前記医療用機器本体とを接続しようとした場合に、前記滅菌処理情報に基づいて前記接続障害部が前記接続防止形状を形成できる。これにより、前記施術具側接続部と前記本体側接続部との物理的な接続を確実に防止することができるため、施術者は滅菌処理を行っていない前記医療用施術具を物理的に前記医療用機器本体に接続することができない。  
したがって、滅菌処理を行っていない前記医療用施術具を他の患者に用いることを確実に防止することができ、汚染の問題が生じないようにできる。
【００４３】
またこの発明の態様として、前記所定動作部は、前記使用判定部で前記医療用施術具の使用が不可であるとの判定に基づき前記医療用施術具の使用を規制することができる。  
上述の使用を規制するとは、前記医療用機器本体から前記医療用施術具への駆動信号の伝達の遮断や、エアーや電気などの作用媒体の供給の停止などの他、前記医療用機器本体に備えた前記制御部による前記医療用施術具の駆動規制、操作スイッチの物理的または電気的な無効化、前記医療用施術具への駆動力の伝達を規制する場合なども含む。
【００４４】
この発明により、滅菌未処理と判定された前記医療用施術具を施術に使用することを防止できるため、施術者は誤って滅菌未処理の医療用施術具が施術に使用されることを規制できる。
【００４５】
またこの発明の態様として、前記所定動作部として機能し、前記医療用機器本体部から前記医療用施術具に送られる操作信号により前記医療用施術具の作動を禁止する駆動制御部が備えられたことを特徴とすることができる。  
上述の作動を禁止するとは、前記医療用施術具を作動させる入力信号を物理的に遮断する構成や、前記医療用施術具の機構に電気信号が送受信されることを防止する構成などを含む。
【００４６】
この発明により、例えば、前記医療用施術具が滅菌未処理であると判定した場合に、前記医療用機器本体から前記医療用施術具への操作信号が伝達されず前記医療用施術具の駆動が規制される。したがって、施術者が誤って他の患者に前記医療用施術具を用いて施術することを確実に防止できる。
【００４７】
またこの発明の態様として、前記本体側接続部または前記施術具側接続部の少なくとも一方には、前記本体側接続部と前記施術具側接続部との接近を検出する接近検出部と、該接近検出部での検出結果に基づいて、前記本体側接続部と前記施術具側接続部との接近に関して報知する接近報知部とが備えられたことを特徴とすることができる。
【００４８】
上述の報知するとは、ブザーやメロディなどの音を発することや、表示部に文字や画像による警告情報を表示すること、単数または複数個のＬＥＤランプなどの光源を点灯または点滅させるなどの発光すること、点灯あるいは点滅している光を消灯すること、前記医療用機器に表示部を設けて判定結果を前記表示部に表示すること、前記医療用施術具を振動させることなどを含む。また、これらの複数の動作を組み合わせて報知してもよい。
【００４９】
この発明により、前記本体側接続部と前記施術具側接続部とが接近したことを検出して報知することができるため、例えば前記医療用施術具の滅菌処理を行ったか否かに関わらず、前記本体側接続部と前記施術具側接続部とを接続する前に前記医療用施術具の滅菌処理を行っているかを確認する機会を得ることができる。これにより、施術者は接続が完了する前に前記医療用施術具が滅菌処理を施しているかをより確実に確認でき、滅菌未処理の前記医療用施術具の使用を確実に予防できる。
【００５０】
したがって、前記施術者は前記医療用施術具の状態を確認したうえで前記医療用機器本体に前記医療用施術具を接続することができるため、滅菌処理をしていない前記医療用施術具の接続を予防することができる。
【００５１】
またこの発明の態様として、前記使用検知部の検知結果に基づいて、少なくとも使用された前記医療用施術具の使用を前記医療用施術具毎に報知する使用報知部が備えられたことを特徴とすることができる。
【００５２】
前記使用報知部は、各医療用施術具を使用したことが医療用施術具毎に報知できるように備えられていればどのような場所に備えられていてもよく、例えば、前記医療用機器本体に設けられた前記医療用施術具を保持するホルダに備えた場合や、前記医療用施術具に備えた場合、前記医療用機器本体に備えた表示部である場合などを含む。
【００５３】
前記報知は、使用済みの前記医療用施術具に対応する前記使用報知部を常に報知する場合や、使用命令の受け付けにより受信する電気信号を検出して報知する場合などを含み、その報知方法は、例えば光によって報知する場合や、表示部に使用済みの前記医療用施術具を表示する場合、音により報知する場合などを含む。
【００５４】
この発明により、実際に施術に使用された前記医療用施術具のみが報知されるので、報知された前記医療用施術具のみを滅菌処理すれば良いので滅菌処理すべき対象が一目瞭然となる。  
また、医療用施術具毎に使用を報知することができるため、別の患者の施術を行う場合に交換すべき前記医療用施術具を容易に判断できる。したがって、施術者は交換すべき前記医療用施術具を明確かつ容易に判断することができ、円滑な施術を行うことができる。
【００５５】
また、前記使用報知部は、前記医療用施術具のホルダ部に設けている場合には、交換すべき前記医療用施術具毎にランプ等を点灯させる構成にすれば、施術者は次の患者に対する施術を行うにあたり、必ず点灯したランプが視野に入るので一旦使用された前記医療用施術具のみを滅菌処理すれば良いことに気付き、更に滅菌未処理の前記医療用施術具の再使用を控えることが出来る。
【００５６】
またこの発明の態様として、前記医療用施術具の取替を検出する取替検出部と、前記滅菌処理情報に基づいて前記報知部による前記医療用施術具の使用報知を解除する報知解除部とが備えられたことを特徴とすることができる。  
上述の前記医療用施術具の交換とは、前記医療用施術具が前記医療用機器本体から取り外されたことや、前記医療用機器本体に接続されていた前記医療用施術具を別の医療用施術具に取り替えることを含む。  
【００５７】
この発明により、滅菌処理済の医療用施術具と取り替えることで使用報知が解除されるため、施術者が施術に使用できる、すなわち滅菌処理済である前記医療用施術具が備えられていることを認識できる。したがって、施術者は医療用施術具が交換されたか否かを気にすることなく施術に集中することができる。
【００５８】
またこの発明の態様として、前記所定動作部として機能し、所定の報知動作を行う報知部が備えられたことを特徴とすることができる。  
この発明により、ブザーやメロディなどの音の出力や光の点滅や点灯、または前記に医療用施術具の振動などの方法で、前記医療用施術具を滅菌処理したか否かを報知することができる。すなわち、施術者は視覚や聴覚や触覚のいずれか一つ以上により、滅菌処理を行った前記医療用施術具かを認識することができる。したがって、施術者は滅菌処理を行っていない医療用施術具を確実に前記医療用機器本体に接続することを予防できる。
【００５９】
またこの発明の態様として、前記報知部が、発光が可能な光出力部で構成することができる。  
前記光出力部は、ＬＥＤ光源やハロゲン電球などの、光を発することができる光源を含み、また前記光出力部は単一の光源や複数の光源を含む。
【００６０】
また、前記光出力部は、前記光出力部が取付けられている位置を施術者が点灯時に目視で認識できれば、どのような位置に設けられていても良く、例えば前記医療用機器本体と前記医療用施術具との接続部位近辺に設けてある場合や、施術患部を照射する患部照明用光源であってもよい。
【００６１】
前記発光とは、単一または複数の光源が点灯または点滅することや、常時点灯する光に対して消灯することにより放置することなどを含む。なお、複数の光源が点灯または点滅する場合には、その光源の一部が点灯または点滅することを含む。
【００６２】
この発明により、施術者は、前記医療用機器本体に対して相対的に接近している前記医療用施術具が滅菌処理を行っているか否かを視覚で容易に認識でき、施術者は滅菌処理を行っていない医療用施術具を前記医療用機器本体に接続することを確実に予防できる。
【００６３】
またこの発明の態様として、前記所定動作部として機能し、警告表示を表示する警告表示部が備えられたことを特徴とすることができる。  
前記警告表示部は、前記医療用機器本体に備わっている表示部や、前記医療用施術具に備わっている表示部、歯科診療装置の表示用モニタなどを含む。
【００６４】
上述の警告表示を表示するとは、画像や文字、文章などによる前記警告表示を前記表示部に表示する場合のみならず、前記警告表示に加えて前記医療用施術具の前記識別情報を表示部に表示する場合や、例えば滅菌処理の指示などの対処方法を表示部に表示する場合などを含む。
【００６５】
この発明により、前記警告表示が前記警告表示部に表示されるため、施術者は視覚にて警告内容を明確に認識することができる。また、前記警告表示部に文章として表示することが可能であるため、施術者は音や光での報知と比べて、より詳細な警告理由を具体的に知ることができる。
【発明の効果】
【００６６】
本発明により、医療用施術具が滅菌処理済か滅菌未処理かを確実に判定できるとともに、滅菌未処理の前記医療用施術具の使用を防止できる医療用診療装置および医療用施術具を提供することができる。
【図面の簡単な説明】
【００６７】
【図１】医療用診療装置の概略斜視図。
【図２】歯科診療用インスツルメントの概略説明図。
【図３】診療システムのブロック図。
【図４】ＲＦＩＤと読取装置のブロック図。
【図５】使用検知情報および処理温度情報の説明図。
【図６】施術全体のフローチャート。
【図７】請求工程のフローチャート。
【図８】施術工程のフローチャート。
【図９】接続判定工程のフローチャート。
【図１０】接続判定工程のフローチャート。
【図１１】滅菌処理工程のフローチャート。
【図１２】処理温度情報の説明図。
【図１３】滅菌処理回数情報の説明図。
【発明を実施するための形態】
【００６８】
図１は、医療用診療装置１の概略斜視図を示し、図２は、ハンドピース３０と接続ユニット４０との接続を解除した状態の歯科診療用インスツルメント２０の概略説明図を示し、詳しくは、図２（ａ）は歯科診療用インスツルメント２０との接続を解除したハンドピース３０と接続ユニット４０との側面図を示し、図２（ｂ）はハンドピース３０の後端面を表した背面図を示し、図２（ｃ）は接続ユニット４０の先端面を表した正面図を示している。なお、図２（ａ）では、ハンドピース３０の後端部分であるハンドピース側接続部３４および接続ユニット４０の先端部分であるユニット側接続部４３については部分断面を示している。  
また、歯科診療用インスツルメント２０の長手方向に沿ってハンドピース３０がある方向（図２中左側）を先方とし、接続ユニット４０がある方向（図２中右側）を後方とする。
【００６９】
図３は医療用診療装置１のブロック図を示し、図４は、歯科診療用インスツルメント２０の説明図を示す。詳しくは、図４は、歯科診療用インスツルメント２０を構成するハンドピース３０に備えられたＲＦＩＤタグ５０と、接続ユニット４０に備えられたＲＦＩＤリーダライタ６０のブロック図を示す。  
図５は、使用検知情報Ｕおよび処理温度情報Ｈの説明図を示し、詳しくは、図５（ａ）は使用検知情報Ｕの内容を示し、図５（ｂ）は処理温度情報Ｈの内容を示す。
【００７０】
図６乃至図１１は医療用診療装置１を用いた患者の施術のフローチャートを示す。図６は、施術の全体のフローチャートを示し、図７および図８は施術工程のフローチャートを示し、図９および図１０は接続判定工程のフローチャートを示し、図１１は、滅菌処理工程のフローチャートを示す。図１２は、処理温度情報についての説明図を示し、詳述すると図１２（ａ）は処理温度情報Ｈの内容を示し、図１２（ｂ）は縦軸を温度、横軸を時間として処理温度情報Ｈを表示したグラフを示す。
【００７１】
図１３は、滅菌処理回数情報Ｃの説明図を示し、図１３（ａ）は滅菌処理回数情報Ｃの内容を示し、図１３（ｂ）は横軸を時間、縦軸を滅菌処理回数とした滅菌処理回数情報Ｃのグラフを示す。
【００７２】
医療用診療装置１は、図１に示すように、医療用機器本体１０と歯科診療用インスツルメント２０とを備えたチェアーユニット７０で構成している。  
歯科診療用インスツルメント２０は、図２に示すように、先端側に配置されるハンドピース３０と、ハンドピース３０と医療用機器本体１０と接続した接続ユニット４０とが着脱自在に連結できる構成である。
【００７３】
医療用機器本体１０は、図１および図３に示すように、歯科診療用インスツルメント２０などの動作設定や報知動作設定などの操作を行う操作パネル１３と、操作パネル１３の正面下方に位置する歯科診療用インスツルメント２０を保持するホルダ１４と、操作パネル１３の背面側に備えたモニタ１５と、操作パネル１３の側部に備えたトレーテーブル１６と、所定の動作に基づいて報知する本体側報知装置１７とを備え、また操作パネル１３の内部には、ＣＰＵとＲＯＭで構成した処理装置制御部１１と、処理装置制御部１１と接続された本体側記憶装置１２とを有している。
【００７４】
処理装置制御部１１は、図３に示すように、ハンドピース識別判定部１１ａと、本体側通信制御部１１ｂと、情報読込制御部１１ｃと、滅菌処理判定部１１ｄと、使用判定部１１ｅと、駆動制御部１１ｆと、本体側報知動作処理部１１ｇと、滅菌処理回数算出部１１ｈと、接続判定部１１ｉと、接続報知動作制御部１１ｊと、交換判定部１１ｋとを備える。
【００７５】
ハンドピース識別判定部１１ａは、ハンドピース３０を識別する識別情報Ｌと、後述するハンドピース情報記憶部１２ａに記憶するハンドピース情報Ｉとを照合し、接続ユニット４０と接続するハンドピース３０が医療用機器本体１０で駆動可能かを判定処理する判定部である。
【００７６】
本体側通信制御部１１ｂは、ハンドピース３０と接続ユニット４０との通信を制御する制御部である。具体的には、ハンドピース３０から送信された識別情報Ｌや、ハンドピース３０の使用に関する情報である使用検知情報Ｕなどの情報の受信を制御し、また、ハンドピース３０に対してハンドピース識別判定部１１ａで判定した判定結果などの送信を制御する。
【００７７】
情報読込制御部１１ｃは、後述する駆動制御情報記憶部１２ｂからハンドピース３０の駆動制御に関するパラメータなどの駆動条件の読み込むことを制御する。なお、駆動条件には各ハンドピース３０に対応したトルクの回転限度数などの駆動条件が記録されている。
【００７８】
滅菌処理判定部１１ｄは、後述する計時部５５で測定した温度を記録した処理温度情報Ｈに基づいてハンドピース３０の滅菌処理が行われているか否かの判定処理を行う判定部である。なお、滅菌処理判定部１１ｄはハンドピース３０に設けてあっても良い。  
使用判定部１１ｅは、ハンドピース３０から受信した処理温度情報Ｈと使用検知情報Ｕに基づいてハンドピース３０を施術に使用できるか否かの判定処理を行う判定部である。
【００７９】
駆動制御部１１ｆは、情報読込制御部１１ｃで読み込んだ駆動条件並びに、滅菌処理判定部１１ｄ、使用判定部１１ｅ、および交換判定部１１ｋの判定結果に従って、ハンドピース３０の動作を制御する制御部である。具体的には、チェアーユニット７０が施術者の足によって操作されることによりハンドピース３０に伝達される入力信号を、駆動制御条件に従って制御する。  
なお、駆動制御部１１ｆのうち、ハンドピース３０の駆動規制制御に関しては、医療機器本体から送信された駆動信号を遮断するなどの構成としてハンドピース３０に設けてあっても良い。
【００８０】
本体側報知動作処理部１１ｇは、報知動作プログラムを読み込んで本体側報知装置１７の報知動作を制御する制御部である。  
滅菌処理回数算出部１１ｈは、処理温度情報Ｈに記憶された温度情報と時間情報とに基づいてハンドピース３０が行った滅菌処理の回数を算出する処理部である。具体的には、ハンドピース３０を滅菌処理温度１２１℃、滅菌処理時間２０分で滅菌処理した場合の滅菌処理回数を１回とし、滅菌処理温度を１２１℃、滅菌処理時間３０分とした場合には、基準となる滅菌処理回数に例えば１．４倍乗算して滅菌処理回数を算出する。
【００８１】
接続判定部１１ｉは、ハンドピース３０のハンドピース側接続部３４と接続ユニット４０の先端に形成されるユニット側接続部４３とが所定の距離まで接近したことや、ハンドピース３０と接続ユニット４０とが接続したこと、ハンドピース３０と接続ユニット４０との接続が解除されたことを判定処理する判定部である。具体的には、医療用機器本体１０を起動することで、後述する接近検知センサー４３５から得られる情報を解析してハンドピース３０と接続ユニット４０との接近および接続・解除を判定処理する。
【００８２】
接続報知動作制御部１１ｊは、接続判定部１１ｉの判定結果を受けて、その判定結果に応じた所定の報知動作を制御する。  
交換判定部１１ｋは、滅菌処理回数算出部１１ｈで算出された滅菌処理回数と、後述する交換基準情報記憶部１２ｃに記憶する滅菌処理限度回数とを比較してハンドピース３０を交換すべきか否かを判定処理する。
【００８３】
本体側記憶装置１２は、ＨＤＤやＳＳＤなどで構成されており、ハンドピース３０の情報であるハンドピース情報Ｉを記憶するハンドピース情報記憶部１２ａと、ハンドピース３０の駆動条件を記憶する駆動制御情報記憶部１２ｂと、医療用機器本体１０と接続可能なハンドピース３０の滅菌処理できる限度回数である滅菌処理限度回数を記憶する交換基準情報記憶部１２ｃと、各動作に基づき行われる報知動作の動作プログラムを記憶する報知設定記憶部１２ｄと、ハンドピース３０と接続ユニット４０との接近などに基づいて行われる報知動作の動作プログラムを記憶する接近報知動作記憶部１２ｅとを備えている。
【００８４】
操作パネル１３は、図１に示すように、トレーテーブル１６の正面側に設置された所定の操作入力を行う入力部であり、タッチスクリーンやポインティングスティック、あるいはスイッチ等で構成している。なお、マウスなどの適宜の入力デバイスを備えてもよい。
【００８５】
操作パネル１３の正面側に設けられたホルダ１４は、図１に示すように、歯科診療用インスツルメント２０を配置するハンドピースホルダーである。
【００８６】
モニタ１５は、図１に示すように、操作パネル１３の背面側に備えた表示部であり、例えば、患者の性別や年齢、前回の治療日などのカルテ情報や、図示しないＸ線撮影装置により撮像し生成した施術の対象となる歯牙に関するＸ線画像、Ｘ線画像と口腔内カメラ（図示省略）で撮影した歯牙画像などを表示する。
【００８７】
トレーテーブル１６は、外枠に比べて少し窪んだ平らな平面１６ａを上面内側に有するトレーテーブルであり、平面１６ａに接続ユニット４０に接続する前のハンドピース３０や切削回転工具５などの施術具、操作パネル１３の構成として機能するマウスなどを置くことができる。
【００８８】
報知部および接近報知部に対応する本体側報知装置１７は、本体側報知動作処理部１１ｇや接続報知動作制御部１１ｊの制御処理により、報知設定記憶部１２ｄに記憶する報知プログラムに基づく所定の報知動作を行う報知装置である。
【００８９】
具体的には、ＬＥＤランプを点灯または点滅させることにより視覚的に報知するホルダ光出力部１７ａが各種のハンドピース毎にホルダ１４の適所にそれぞれ設けられ、またブザーや音声などの音を出力する出力部である本体側音声出力部１７ｂおよび判定結果を表示する本体側報知モニタ１７ｃが、モニタ１５を正面からみて操作パネル１３の左側に設置されている。
【００９０】
また、歯科診療用インスツルメント２０は、図２（ａ）に示すように、チェアーユニット７０と接続チューブ４２を介して接続されている接続ユニット４０と、医療用施術具に対応するハンドピース３０とを着脱自在に連結して構成している。なお、接続ユニット４０と接続するハンドピース３０の接続部分であるハンドピース側接続部３４にはＲＦＩＤタグ５０が、ハンドピース３０と接続する接続ユニット４０の接続部分であるユニット側接続部４３には、ＲＦＩＤリーダライタ６０がそれぞれ設けられている。
なお、ＲＦＩＤリーダライタ６０は、接続ユニット４０の接続部分であるユニット側接続部４３に設けずに、医療用機器本体１０の操作パネル１３やホルダ１４等の医療用機器本体１０の適所に設けても良い。
【００９１】
なお、本実施例は、マイクロモータハンドピースの例であるので、ハンドピース３０をモータユニットに接続しているが、エアータービンハンドピースや他のハンドピースでは、他の接続用接手が使用されることは言うまでも無い。モータユニットや他の接続用接手を総称して接続ユニット４０という。また本実施例では、マイクロモータハンドピースを基にして説明するが、ハンドピース３０は各種ある。さらにまた、各種のハンドピース３０を接続ユニット４０に接続したものを総称してインスツルメントと表現する。
【００９２】
医療用施術具に対応するハンドピース３０は、図２（ａ）に示すように、先端に向けて細径となる把持部３１と、把持部３１の先端に位置する切削工具５を把持するヘッド部３２とで構成されており、手指によって把持される把持部３１の後端側周面にはハンドピース側報知部３３が設けられている。
【００９３】
報知部および接近報知部に対応するハンドピース側報知部３３は、所定の動作に基づいて実行される報知動作により報知する報知部であり、光出力部に対応するＬＥＤランプを点灯や点滅することにより報知する構成である。
【００９４】
なお、本実施例において、ハンドピース側報知部３３を点灯させることにより報知する構成としているが、必ずしもこの構成に限るものではなく、例えば音や振動により報知する構成でもよく、またこれらの組み合わせであってもよい。
【００９５】
ハンドピース３０の後端部分には、図２（ａ）に示すように、接続ユニット４０との接続状態において、接続ユニット４０の先端部分と接続するハンドピース側接続部３４が備えられるとともに、後述するユニット側挿入部４３２の挿入が可能な円柱状の空間を形成する凹部３４ａが内部に形成されている。  
凹部３４ａの中心部分にはハンドピース３０と接続ユニット４０とを接続した接続状態において接続ユニット４０と連結する出力軸４１と接続する第一駆動伝達軸３１１が設けられている。
【００９６】
第一駆動伝達軸３１１は、接続ユニット４０の内部に設けられたマイクロモータ（図示省略）の回転に伴って回転する出力軸４１と接続することにより軸回転可能に構成されており、第一駆動伝達軸３１１は複数のギア（図示省略）を介してマイクロモータの回転をヘッド部３２に伝達することができる。これにより、ヘッド部３２の先端に把持された切削工具５を回転させることができる。
【００９７】
施術具側接続部に対応するハンドピース側接続部３４は、図２（ａ）に示すように、ハンドピース３０の後端側に形成されるハンドピース接続面３４１と、凹部３４ａの内周面を形成するハンドピース内壁３４２と、ハンドピース３０の外周面を形成するハンドピース外壁３４３と、ハンドピース接続面３４１から後方に突出する位置決め凸部３４４とで構成する。
【００９８】
ハンドピース内壁３４２は、図２（ｂ）に示すように、把持部３１の内部に円柱状の空間を形成する凹部３４ａの内周面を構成し、所定の径を有する断面円形である。  
ハンドピース外壁３４３は、ハンドピース内壁３４２の内径よりも大きな径を形成し、ハンドピース３０の後端部分に形成する円筒形の外周面である。
【００９９】
位置決め凸部３４４は、第一駆動伝達軸３１１から長手方向後方に突出した略直方体形状に形成された突出部である。  
また、ハンドピース３０には、接続ユニット４０のユニット側挿入部４３２が挿入される中心側のハンドピース内壁３４２と、ハンドピース内壁３４２を囲む円筒形のハンドピース外壁３４３の間であって、ハンドピース３０における凸部３４４の近傍部分には、非接触で情報の通信が可能なアクティブ型のＲＦＩＤタグ５０が設けられている。なお、ハンドピース内壁３４２とハンドピース外壁３４３の間にハンドピース３０の長手方向に沿って前後に円柱状体が移動する突出機構３５を設けることもできる。
【０１００】
接続障害部に対応する突出機構３５は、報知動作部として機能する突出機構であり、ハンドピース３０が滅菌処理された状態において、ハンドピース側接続部３４の内部に収納されている。また、滅菌処理判定部１１ｄおよび使用判定部１１ｅによる判定処理の結果、ハンドピース３０が滅菌未処理と判定された場合に、後述する突出部制御部５１ｈの制御により後方に突出する円柱状の棒状体である。
【０１０１】
識別体に対応するＲＦＩＤタグ５０は、図４に示すように、所定のプログラムを読み込み、ハンドピース３０の動作を制御するＲＦＩＤ制御部５１と、所定の情報を記憶するＲＦＩＤ記憶部５２と、接続ユニット４０との通信を担う通信アンテナ５３と、耐熱性の充電型電池である電池５４と、日にちおよび時刻をカウントする時計である計時部５５と、ハンドピース３０の外側の温度を測定する温度計測部５６とで構成する。  
ＲＦＩＤ制御部５１は、ＣＰＵとＲＯＭとＲＡＭで構成されており、温度読取部５１ａと、時間読取部５１ｂと、読込制御部５１ｃと、通信制御部５１ｄと、情報更新制御部５１ｅと、ＨＰ報知動作制御部５１ｆと、施術検知部５１ｇとで構成する。なお、突出機構３５を設けている場合には、突出部制御部５１ｈをＲＦＩＤ制御部５１の構成として含む。
【０１０２】
温度読取部５１ａは、温度計測部５６で計測するハンドピース３０の外側の温度の読み取り制御を行う制御部である。  
時間読取部５１ｂは、所定の状況となった場合に、計時部５５で計測する時刻（日にちおよび時刻）の読み取り制御を行う制御部である。詳述すると、時間読取部５１ｂは、ハンドピース３０の駆動開始および駆動終了を検知した場合、ハンドピース３０と接続ユニット４０との接続および接続解除された場合、あるいは温度読取部５１ａで計測する温度が所定の温度（４０℃、１０５℃、１２１℃、１３０℃）となった場合などに時刻の読取制御を行う。
【０１０３】
読込制御部５１ｃは、所定の読込命令に基づいてＲＦＩＤ記憶部５２に記憶する情報を読み込むとともに、読み込んだ情報を医療用機器本体１０に送信する送信信号を通信制御部５１ｄに送ることを制御する。
【０１０４】
通信制御部５１ｄは、本体側通信制御部１１ｂと同様に、ハンドピース３０と接続ユニット４０との通信を制御する制御部である。具体的には、接続ユニット４０から送信された読み込み命令などを受信するとともに、識別情報Ｌや使用検知情報Ｕなどを接続ユニット４０に送信する送信処理を制御する。
【０１０５】
情報更新制御部５１ｅは、温度読取部５１ａで読み込まれた温度情報や時間読取部５１ｂにより読み込まれた時間情報を処理温度情報Ｈや使用検知情報Ｕへ書き込み、情報の更新処理を制御する制御部である。
【０１０６】
ＨＰ報知動作制御部５１ｆは、使用判定部１１ｅの判定結果を受信することにより、その受信結果に基づいて所定の報知動作の制御を行う。  
施術検知部５１ｇは、チェアーユニット７０の操作に基づいてハンドピース３０が使用されていることを検知するとともに、ハンドピース３０の使用時間の読取命令を通信制御部５１ｄに送信する制御を行う制御部である。
【０１０７】
突出部制御部５１ｈは、ＲＦＩＤ制御部５１を構成する制御部であり、滅菌処理判定部１１ｄおよび使用判定部１１ｅの判定結果を受信することにより、突出機構３５を接続ユニット４０側に突出させる突出動作もしくは突出した突出機構３５の収納動作を制御する制御部である。  
なお、この突出機構については、本出願人の出願にかかる特願２０１５-１５５９２５に詳細を記載するので省略する。
【０１０８】
情報記憶部に対応するＲＦＩＤ記憶部５２は、図６に示すように、ＲＦＩＤタグ５０を備えるハンドピース３０に関する情報を記憶する記憶部であり、ハンドピース３０を特定する識別情報Ｌを記憶する識別情報記憶部５２ａと、温度読取部５１ａで読み込んだ温度情報と温度情報に対応する時間情報とを含む処理温度情報Ｈを記憶する処理温度情報記憶部５２ｂと、ハンドピース３０の使用を検知した使用に関する情報とこの情報に対応する時間情報とを含む使用検知情報Ｕを記憶する使用検知情報記憶部５２ｃと、滅菌処理回数算出部１１ｈで算出した滅菌処理回数を記憶する滅菌処理回数記憶部５２ｄとで構成されている。
【０１０９】
ここで、図５に基づいて、使用検知情報Ｕと処理温度情報Ｈとについて簡単に説明する。  
使用検知情報Ｕは、ハンドピース３０の使用の開始および使用の終了に対して、その日時を記録した情報であり、図５（ａ）に示すように、時間項目と動作項目とが対応して並んでいる。詳述すると、時間項目は、年月日の欄と時刻の欄とで構成されており、時系列に沿って縦に羅列されている。時間項目の横にはそれぞれの時間に対応する動作の内容が記載されており、その内容としては「駆動開始」および「駆動終了」、「接続」、「接続解除」のいずれかが記載されている。
【０１１０】
処理温度情報Ｈは、所定の温度となった場合の時間とその温度を羅列した情報であり、図５（ｂ）に示すように、時間項目と温度項目とが対応して並んでいる。時間項目は年月日の欄と時刻の欄から構成され、時系列に沿って縦に羅列されており、その横には時間に対する温度が記載されている。
【０１１１】
詳述すると、処理温度情報Ｈは、所定の温度（４０℃、１０５℃、１２１℃、１３０℃）となった時刻が時間項目として縦方向に配列されており、その横には対応した温度が羅列されている。
【０１１２】
なお、本実施例において、時間読取部５１ｂは所定の温度となった場合に時間の読取制御を行う構成であるが、常に時間の読取を行う構成とすることで、時間と温度を常にもしくは定期的に読み取って羅列する構成としてもよい。
【０１１３】
通信アンテナ５３は、通信制御部５３ｂの通信処理に基づいてＲＦＩＤリーダライタ６０との間で相対的近接度が数メートルから数センチメートルの範囲で送受信する通信部である。
【０１１４】
電池５４は、ＲＦＩＤタグ５０およびハンドピース３０に設けたハンドピース側報知部３３に電力を供給する充電型電池であり、ハンドピース３０をオートクレーブにかけた場合であっても、電力を供給可能な耐熱性を有する。なお、電池５４は、ハンドピース３０と接続ユニット４０とを接続することにより、充電可能な構成である。
【０１１５】
接続ユニット４０は、図２に示すように、ハンドピース３０の後端と接続することで一体として歯科診療用インスツルメント２０を形成する接続体であり、その内部には、ハンドピース３０の先端部分に着脱自在に装着される切削回転工具５を回転駆動させるためのマイクロモータ（図示省略）と、マイクロモータの先端側に連結して先端に回転を伝達する出力軸４１とを内蔵している。また、ハンドピース３０との接続状態において出力軸４１が第一駆動伝達軸３１１と接続してマイクロモータの回転駆動力を第一駆動伝達軸３１１に伝えることができる構成となっている。
【０１１６】
また、接続ユニット４０の後端には、接続ユニット４０に内蔵されるマイクロモータへの駆動電源供給用リード線やハンドピース３０の先端に備えた患部照射用光源の導光路と連接する照射電力供給用リード線などを内装する接続チューブ４２が連結されている。なお、接続チューブ４２の後端は医療用機器本体１０と接続しており、接続ユニット４０の駆動は駆動電源供給用リード線を介して駆動制御部１１ｆで制御されている。
【０１１７】
接続ユニット４０の先端部分には、図３に示すように、ハンドピース３０との接続状態において、ハンドピース側接続部３４と接続するユニット側接続部４３を備える。  
本体側接続部に対応するユニット側接続部４３は、ハンドピース３０との接続面であるユニット接続端面４３１と、ユニット接続端面４３１の中心部分から先端方向に向かって突出する筒状のユニット側挿入部４３２と、接続ユニット４０の外周面を形成するユニット外壁４３３と、接続状態において位置決め凸部３４４と対向する位置に配置する位置決め凹部４３４と、ハンドピース３０の接近を検知するために用いる接近検知センサー４３５とで構成する。
【０１１８】
ユニット側挿入部４３２は、図２（ａ）に示すように、把持部３１に設けられた凹部３４ａの深さと同じ長さ先端方向に突出する円筒状の筒状体であり、断面視で内径が第一駆動伝達軸３１１よりも一回り以上大きな円形を形成するとともに、外径がハンドピース内壁３４２よりも一回り小さな円形を形成している。また、ユニット側挿入部４３２に形成された内部空間中心部分には、ハンドピース３０との接続状態において第一駆動伝達軸３１１と接続する出力軸４１が配置されている。
【０１１９】
ユニット外壁４３３は、接続ユニット４０の先端側に形成される外周面であり、その径はハンドピース外壁３４３と略同径である。すなわち、ハンドピース３０と接続ユニット４０との接続状態において、ハンドピース３０の後端表面と接続ユニット４０の先端表面とが面一に形成される。
【０１２０】
位置決め凹部４３４は、図２（ｃ）に示すように、ユニット接続端面４３１の上方に形成された位置決め凸部３４４と嵌合可能な嵌合穴である。
【０１２１】
接近検知センサー４３５は、ユニット接続端面４３１を正面視した場合において（図２（ｃ）参照）、ユニット接続端面４３１であって位置決め凹部４３４と対向する位置に設けられた接近検知センサーであり、発光素子から赤外線を照射しその反射光を受光素子で受けることにより、ハンドピース３０の接続面であるハンドピース接続面３４１の接近や接続、接続の解除を検知することができる。
なお、上記接近検知センサー４３５の代わりに上記ＲＦＩＤタグ５０とＲＦＩＤリーダライタ６０との間の通信信号の強弱を利用してハンドピース３０の接近を検出しても良い。
【０１２２】
上述のユニット接続端面４３１は、位置決め凸部３４４と対向する位置に配置して、ハンドピース側接続部３４とユニット側接続部４３とを接続するように移動させることにより、位置決め凸部３４４を嵌合する。これにより、ハンドピース３０と接続ユニット４０との径方向の位置決めをすることができる。
【０１２３】
また、ユニット側挿入部４３２とユニット外壁４３３との間であって、接続状態においてＲＦＩＤタグ５０と対向する位置にＲＦＩＤリーダライタ６０を設けている。  
読取部に対応するＲＦＩＤリーダライタ６０は、図４に示すように、ＲＦＩＤタグ５０との間で情報の送受信を行うＲＷ通信アンテナ６１を備えている。
【０１２４】
ＲＷ通信アンテナ６１は、ＲＦＩＤタグ５０を構成する通信アンテナ５３との間で送受信可能な通信用アンテナである。
【０１２５】
なお、本実施例において、ＲＷ通信アンテナ６１と通信アンテナ５３との通信形態は、両アンテナ間を電波で通信する電波方式とする。この場合に、必要に応じて変調器、複調器を介しても良い。  
また、ＲＷ通信アンテナ６１と通信アンテナ５３との通信形態はこの形態に限るものではなく、例えば、両アンテナ間にコイルを設けて両コイル間に高周波を印加させることで、相互誘導で通信する電磁結合方式や電磁誘導方式としてもよい。
【０１２６】
チェアーユニット７０は、図１に示すように、背面シートの傾動や座面の昇降が可能な診療椅子７１と、唾液や冷却水等の吸引装置やうがいを行うための装置が装備されているベースンユニット７２と、口腔内の唾液などのバキームシリンジ等を配置するアシスタントホルダ７３と、診療椅子７１に接続されたフートコントローラ７４で構成されている。フートコントローラ７４は、施術者の足によって操作され、踏み込みおよび踏み込み量を検出できるペダル７４ａを備えている。
【０１２７】
次に、図６乃至図１１に示すフローチャートに基づいて、このような構成を有する医療用診療装置１を用いて施術者が患者の施術を行う場合の医療用診療装置１の動作について説明する。  
初めに、図６に基づいて、医療用診療装置１を用いた施術の全体工程について説明する。
【０１２８】
医療用診療装置１を用いた施術は、図６に示すように、歯科診療用インスツルメント２０を用いて施術する施術工程（ステップｓ１）と、オートクレーブを用いたハンドピース３０の滅菌処理を行う滅菌処理工程（ステップｓ２）と、滅菌処理されたハンドピース３０を用いて他の患者を施術するかを判断する工程（ステップｓ３）とからなる。施術後に他の患者を施術する場合には（ステップｓ３：Ｙｅｓ）、施術工程（ステップｓ１）と滅菌処理工程（ステップｓ２）とを繰り返し行う。一方で、他の患者を施術しない場合には（ステップｓ３：Ｎｏ）、施術を終了する。
【０１２９】
患者を施術する施術工程（ステップｓ１）は、接続チューブ４２を介して医療用機器本体１０と接続された接続ユニット４０とハンドピース３０とを接続する接続判定工程（ステップｓ１Ａ）と、接続ユニット４０とハンドピース３０とを接続した歯科診療用インスツルメント２０を用いて患者の施術を行う施術工程（ステップｓ１Ｂ）からなる。
【０１３０】
この接続判定工程（ステップｓ１Ａ）と施術工程（ステップｓ１Ｂ）での医療用診療装置１の動作について以下、図７乃至図１０に基づいて説明する。
【０１３１】
接続判定工程（ステップｓ１Ａ）において、施術者はハンドピース３０と接続ユニット４０とを接続するために、ユニット側接続部４３に向けてハンドピース側接続部３４を接近させる。これによりハンドピース３０の識別情報Ｌ、使用検知情報Ｕ、および処理温度情報Ｈが接続ユニット４０に受信される（ステップｔ１）。
【０１３２】
詳述すると、ハンドピース３０に設けられたＲＦＩＤタグ５０からの信号を接続ユニット４０に設けたＲＦＩＤリーダライタ６０が受信することにより、ＲＦＩＤリーダライタ６０からＲＦＩＤタグ５０に向けて識別信号などの送信命令が発せられる。この送信命令を受けて、読込制御部５１ｃが識別情報記憶部５２ａに記憶する識別情報Ｌと処理温度情報記憶部５２ｂに記憶する処理温度情報Ｈと使用検知情報記憶部５２ｃに記憶する使用検知情報Ｕとの読込制御を行う（ステップｔ１）。そして、通信制御部５１ｄの制御により通信アンテナ５３からＲＷ通信アンテナ６１に向けて識別情報Ｌ、処理温度情報Ｈ、および使用検知情報Ｕが送信される（ステップｔ２Ａ）。
【０１３３】
ＲＷ通信アンテナ６１によって受信された識別情報Ｌ、処理温度情報Ｈ、および使用検知情報Ｕは（ステップｔ２Ｂ）、接続チューブ４２に内装する情報伝送線を介して医療用機器本体１０に送信される。この識別情報Ｌの受信を受けて、ハンドピース３０が医療用機器本体１０で駆動可能かを判定処理される（ステップｔ３）。
【０１３４】
ここで、ハンドピース３０が医療用機器本体１０で駆動可能かを判定処理される工程（ステップｔ３）について、図９および図１０に基づいて、簡単に説明する。  
ハンドピース３０から送信された識別情報Ｌを接続ユニット４０が受信することで（ステップｔ２）、ハンドピース情報記憶部１２ａに記憶するハンドピース情報Ｉを情報読込制御部１１ｃの制御により読み込む。そして、ハンドピース識別判定部１１ａにより識別情報Ｌとハンドピース情報Ｉとを比較し、ハンドピース３０が医療用機器本体１０で駆動可能かを判定処理される（ステップｕ１）。
【０１３５】
ハンドピース識別判定部１１ａの判定の結果、ハンドピース３０を医療用機器本体１０で駆動可能と判定された場合には（ステップｕ１：Ｙｅｓ）、情報読込制御部１１ｃの制御により駆動制御情報記憶部１２ｂに記憶する駆動情報が読みこまれるとともに（ステップｕ２）、本体側通信制御部１１ｂの制御によりハンドピース識別判定部１１ａで判定処理された判定結果がハンドピース３０に送信される（ステップｕ３Ａ）。
【０１３６】
ハンドピース識別判定部１１ａで判定処理された判定結果を受信することにより（ステップｕ３Ｂ）、ＨＰ報知動作制御部５１ｆが判定結果に基づいてハンドピース側報知部３３を青色に点灯させて（ステップｕ４）接続判定工程を終了する。これにより、ハンドピース３０と接続ユニット４０とを接続することなく、施術者はハンドピース３０が医療用機器本体１０と接続して駆動制御できることを知ることができる。
【０１３７】
一方で、ハンドピース識別判定部１１ａの判定処理により、ハンドピース３０を医療用機器本体１０で駆動不可能と判定された場合には（ステップｕ１：Ｎｏ）、ＲＷ通信アンテナ６１を介してハンドピース識別判定部１１ａの判定結果が通信アンテナ５３に送信される（ステップｕ５Ａ）。そして、通信アンテナ５３による判定結果の受信されたことに基づいて（ステップｕ５Ｂ）、ＨＰ報知動作制御部５１ｆの制御により、ハンドピース側報知部３３がオレンジ色に点灯する（ステップｕ６）。
【０１３８】
これにより施術者は、ハンドピース３０と接続ユニット４０とを接続することなく、ハンドピース３０を医療用機器本体１０で駆動制御できないことが分かる。したがって、ハンドピース３０と接続ユニット４０との接続動作を止めることができ、もしくは、施術者はハンドピース３０の駆動条件を例えばネットワーク上から呼び出すことにより、ハンドピース３０を医療用機器本体１０と接続させて駆動制御できる。
【０１３９】
次に、施術工程（ステップｓ１Ｂ）における医療用診療装置１の動作について、図７乃至図８に基づいて説明する。  
上述のように、ＲＷ通信アンテナ６１で受信した処理温度情報Ｈおよび使用検知情報Ｕは（ステップｔ２Ｂ）、接続チューブ４２に内装する情報伝送線を介して処理装置制御部１１に送信され、滅菌処理判定部１１ｄの制御による滅菌処理済か滅菌未処理かの判定処理と使用判定部１１ｅに制御によるハンドピース３０の使用可否の判定処理とにより、ハンドピース３０の使用の可否の判定処理が行われる（ステップｔ４）。
【０１４０】
詳述すると、ハンドピース３０の使用可否の判定は、使用判定部１１ｅの制御により、使用検知情報Ｕに記憶する直前の使用の終了時間（もしくは接続解除した時間）と処理温度情報Ｈに記憶する滅菌処理を完了した時間とを比較判定して、ハンドピース３０の使用後に滅菌処理が行われたかを判定する工程と、滅菌処理判定部１１ｄの制御により、処理温度情報Ｈに記憶する処理温度情報と滅菌処理時間情報からハンドピース３０の滅菌処理が確実に行われたかの判定する工程からなる。
【０１４１】
具体的には、図４に示すように、使用検知情報Ｕに記憶された使用終了時刻（２０１５年１月１０日１４時５２分）が処理温度情報Ｈに記憶された滅菌終了時間（２０１５年１月１０日１６時５２分）よりも早いため、使用判定部１１ｅの制御によりハンドピース３０は使用後に滅菌処理を行ったと判定される。
【０１４２】
次に、滅菌処理判定部１１ｄの制御により、最後に行った滅菌処理の開始時間および滅菌処理の終了時間並びに滅菌処理温度を読取ることで、オートクレーブによる滅菌処理が所定の温度および時間で行われているかを判定する。
【０１４３】
本実施例の場合、所定の滅菌処理条件である滅菌処理温度１２１℃、２０分（図４参照）で滅菌処理をしているため、確実に滅菌処理がされたものと判定される。この判定結果に伴って、本体側報知動作処理部１１ｇの制御により報知設定記憶部１２ｄに記憶する報知プログラムを読み込み、本体側報知モニタ１７ｃおよびモニタ１５に『ハンドピースの使用可』と表示される。また、ハンドピース３０に送信された判定結果に基づくＨＰ報知動作制御部５１ｆの制御により、ハンドピース側報知部３３が緑色に点灯する。これにより、ハンドピース３０が滅菌処理済であることを施術者は認識できる。したがって、施術者はハンドピース３０を施術に使用できる。
【０１４４】
なお、本実施例において、ハンドピース３０の使用の判定にあたり、使用後のハンドピース３０に滅菌処理が行われたか否かの判定と、滅菌処理の判定とをこの順で行ったが、必ずしもこの順番である必要はなく、滅菌処理の判定から先に行ってもよい。  
また、滅菌処理の判定により滅菌未処理と判定した場合は、滅菌処理の判定のみを行う。
【０１４５】
滅菌処理判定部１１ｄおよび使用判定部１１ｅの判定処理の結果、ハンドピース３０が滅菌済みであり使用できると判定された場合（ステップｔ４：Ｙｅｓ）、施術者はハンドピース３０と接続ユニット４０とを接続できる。
施術者がハンドピース３０と接続ユニット４０とを接続させることにより、接続ユニット４０に備えた接近検知センサー４３５から得られる情報を基に接続判定部１１ｉとハンドピース識別判定部１１ａの制御によりハンドピース３０と接続ユニット４０との接続を検出する（ステップｔ５）。
【０１４６】
ハンドピース３０と接続ユニット４０とが接続された状態で、施術者がチェアーユニット７０のペダル７４ａを踏み込むことで、駆動制御部１１ｆの制御により情報読込制御部１１ｃで読み込んだ駆動条件に従ってハンドピース３０の先端に取り付けた切削工具５が回転するため、施術者は患者に対して所望の施術を行うことができる（ステップｔ６）。
【０１４７】
そして、この使用を検知してハンドピース３０に記憶された使用検知情報Ｕの情報を更新する（ステップｔ７）。  
詳述すると、施術検知部５１ｇの制御により、ペダル７４ａの踏み込み動作よる駆動制御部１１ｆの制御信号を受け取って、ハンドピース３０の駆動を検知する。この駆動の検知に伴って、時間読取部５１ｂおよび情報更新制御部５１ｅの制御によりその駆動時間を計時部５５から読み取り、使用検知情報Ｕを逐次更新する。なお、この使用検知情報Ｕへの記録は施術中更新される（ステップｔ８：Ｎｏ）。
【０１４８】
施術者がフートコントローラ７０を用いた操作を終了して患者の施術を終了することにより（ステップｔ８：Ｙｅｓ）ハンドピース３０の駆動が停止され使用検知情報Ｕに施術の終了時刻が記録されることとなる。
【０１４９】
一方で、使用後にハンドピース３０の滅菌処理がされていない又は滅菌処理後に使用されたなどにより、ハンドピース３０は施術に使用できないと判定された場合、もしくは滅菌処理が十分になされていないと判定された場合（ステップｔ４：Ｎｏ）、駆動制御部１１ｆの制御により、ハンドピース３０の駆動信号が電気的に遮断される（ステップｔ９）。
【０１５０】
また、本体側報知動作処理部１１ｇの制御により、ホルダ光出力部１７ａが赤色に点灯されるとともに、本体側音声出力部１７ｂからブザーを発する。さらには、本体側報知モニタ１７ｃまたはモニタ１５にハンドピース３０が使用できない旨の情報が表示される。
【０１５１】
さらに、ＲＷ通信アンテナ６１を介して滅菌処理判定部１１ｄおよび使用判定部１１ｅの判定結果が通信アンテナ５３に送信される（ステップｔ１０Ａ）。この判定結果を受信したＨＰ報知動作制御部５１ｆの制御により、ハンドピース側報知部３３が赤色に点灯する（ステップｔ１１）。これにより、施術者はハンドピース３０が前回の使用後に滅菌処理がされていないことを把握することができ、患者に滅菌未処理のハンドピース３０の使用を確実に予防することができる。
なお、接続判定部１１ｉの制御によるハンドピース３０と接続ユニット４０との接続解除の検出により、駆動制御部１１ｆの制御によるハンドピース３０の駆動信号の遮断を解除することができる。
【０１５２】
このように、ＲＦＩＤタグ５０とＲＦＩＤリーダライタ６０とを用いることにより、非接触でハンドピース３０が医療用機器本体１０に駆動可能かを検知することができるとともに、非接触でハンドピース３０の使用の可否を判定することができるため、施術者は滅菌未処理であるハンドピース３０の使用を予防できる。
【０１５３】
また例えば、ハンドピース側接続部３４に、滅菌未処理と判定された場合においてハンドピース３０の長手方向に沿って前後に円柱状体が移動する突出機構３５を設けた構成である場合（図２参照）には、ハンドピース３０と接続ユニット４０との接続を確実に防止することができる。
【０１５４】
詳述すると、滅菌処理判定部１１ｄおよび使用判定部１１ｅの判定処理により、ハンドピース３０を施術に使用できない旨の判定がされた場合（ステップｔ３：Ｎｏ）、通信アンテナ５３による当該判定結果の受信に基づいて、突出部制御部５１ｈが、突出機構３５を後方側に突出させる制御を行う（ステップｔ１２）。これにより、ハンドピース側接続部３４とユニット側接続部４３とを接続させようとした場合に、突出機構３５により接続を妨害することができ、ハンドピース３０と接続ユニット４０との接続を規制できる。
【０１５５】
この駆動制御部１１ｆによる駆動制御や突出機構３５の突出によるハンドピース３０の使用規制は、ハンドピース３０をオートクレーブで滅菌処理することにより解除することができる。以下、図１１および図１２に基づいて、ハンドピース３０のオートクレーブによる滅菌処理について説明する。
【０１５６】
ハンドピース３０は接続ユニット４０から取り外し可能な構成であるとともに、ハンドピース３０に備えたＲＦＩＤタグ５０は耐熱性の電池を備えていることから、ハンドピース３０を単独でオートクレーブにかけることができる。  
なお、本実施例において、ハンドピース３０が滅菌処理されたと判断できる滅菌処理条件を「処理温度１２１℃、処理時間２０分」とする。
【０１５７】
以下、ハンドピース３０をオートクレーブにかけた場合におけるハンドピース３０の動作について、図１２のフローチャートに基づいて説明する。  
ハンドピース３０は、温度読取部５１ａの制御により温度計測部５６で測定するハンドピース３０の外側の温度の読み取りを行っている（ステップｒ０）。このハンドピース３０をオートクレーブにかけ、外側の温度が４０℃となったときに（ステップｒ１：Ｙｅｓ）、時間読取部５１ｂの制御によりその時間Ｔ１を読取り（ステップｒ２）、情報更新制御部５１ｅの制御により処理温度情報Ｈに記録する（ステップｒ３）。  
なお、外側の温度が４０度未満である場合には（ステップｒ１：Ｎｏ）、温度読取部５１ａの制御による温度の測定を繰り返す。
【０１５８】
同様に、温度読取部５１ａの制御により温度計測部５６で測定するハンドピース３０の外側の温度の読み取りを行い１２１℃となったときに（ステップｒ４：Ｙｅｓ）、時間読取部５１ｂの制御によりその時間Ｔ２を読取り（ステップｒ５）、情報更新制御部５１ｅの制御により処理温度情報Ｈに記録する（ステップｒ６）。
【０１５９】
そしてさらに外側の温度が１２１℃から下がったときを読取るとともに（ステップｒ７：Ｙｅｓ）その時間Ｔ３を読取り（ステップｒ８）記録する（ステップｒ９）。  
最後に、温度計測部５６による温度が４０℃を切ったときに（ステップｒ１０：Ｙｅｓ）、その時間Ｔ４を時間読取部５１ｂの制御により読取り（ステップｒ１１）処理温度情報Ｈに記録して（ステップｒ１２）終了する。
【０１６０】
このように処理温度情報Ｈに記録された温度および時間は、図１２に示すようなグラフを描くことができる。すなわち時間Ｔ１から時間Ｔ２まで温度が上昇し、また時間Ｔ２から時間Ｔ３までの温度が一定となり、時間Ｔ３から時間Ｔ４の間で温度が下がることとなる。このとき時間Ｔ２と時間Ｔ３との間が２０分となる。
【０１６１】
逆にいうと、計時部５５と温度計測部５６とをＲＦＩＤタグ５０（もしくはハンドピース３０）に備えることにより、ハンドピース３０の滅菌処理時間および温度を測定することができるため、例えば、処理温度に対する処理時間が足りない場合を把握することができる。したがって、本実施例において、滅菌処理判定部１１ｄの制御により判定したように、処理温度情報Ｈに基づいてハンドピース３０が滅菌処理されたかを確実に判定することができる。
【０１６２】
さらに、処理装置制御部１１に接続判定部１１ｉを備えることにより、処理温度情報Ｈに基づいて接続されたハンドピース３０の滅菌処理回数を算出することができる。  
詳述すると、ハンドピース３０は精密機械であるため、所定の条件のオートクレーブに耐久できる回数が限られている。  
なお、本実施例において、ハンドピース３０のオートクレーブにかけることができる滅菌処理限度回数が、交換基準情報記憶部１２ｃに記憶されている。
【０１６３】
上述のように、ハンドピース３０と接続ユニット４０とを接続する際に、読込制御部５１ｃの制御により読み込まれた処理温度情報Ｈと使用検知情報Ｕとが、通信制御部５１ｄの制御により接続ユニット４０に備えたＲＷ通信アンテナ６１を介して通信アンテナ５３に受信される（ステップｔ２）。このとき、接続判定部１１ｉの制御により、処理温度情報Ｈに記録されている最高温度で処理時間である滅菌処理時間（Ｔ２とＴ３との時間間隔）および最高温度が読み込まれ、滅菌処理時間および最高温度に基づいて滅菌処理回数とその積算値を算出し、滅菌処理回数情報Ｃとして滅菌処理回数記憶部に記憶する（図１３（ａ）参照）。
【０１６４】
ここで、本実施例においては、図１３に示すように、滅菌処理温度１２０℃、滅菌処理時間２０分の場合の滅菌回数を１回とし、これに対応して、滅菌処理温度１３０℃、滅菌処理時間３０分のときの滅菌回数は例えば１．４回と、滅菌処理温度１３０℃、滅菌処理時間２０分のときの滅菌回数は例えば１．７回と設定している。
【０１６５】
次に、交換判定部１１ｋの制御により、交換基準情報記憶部１２ｃに記憶する滅菌処理限度回数と滅菌処理積算回数とを比較判定して、ハンドピース３０を交換すべきか否かの判定処理を行う。その結果、ハンドピース３０を交換する必要があると判定された場合には、駆動制御部１１ｆの制御により、ハンドピース３０の駆動信号が電気的に遮断するとともに、本体側報知動作処理部１１ｇの制御により、ホルダ光出力部１７ａが黄色に点滅されるとともに、本体側音声出力部１７ｂから警告音を発する。さらには、本体側報知モニタ１７ｃまたはモニタ１５にハンドピース３０を交換するべき旨の情報が表示される。
【０１６６】
これにより、施術者はハンドピース３０の滅菌処理回数が滅菌処理限度回数を超えたことを認識することができる。また、ハンドピース３０の使用後に滅菌処理されていない場合と異なる警告とすることにより、つまりホルダ光出力部１７ａの点灯パターンおよび本体側音声出力部１７ｂから警告音パターンを変更することにより、ハンドピース３０が滅菌未処理でなくハンドピース３０を交換する必要があることを認識することができる。
【０１６７】
さらに、例えば、滅菌処理回数を図１３（ｂ）に示すようなグラフとしてモニタ１５に表示することにより、ハンドピース３０の交換時期を事前に把握することができるため、安全を見越して事前に交換することや、ハンドピース３０のストックを予め補充することなどができる。これにより、施術者の好みに合わせた安全な施術を行うことができ、またハンドピース３０の購入時期なども管理できるため経営面でも施術者の助けとなる。
【０１６８】
さらには、操作パネル１３の操作により、施術者がハンドピース３０の滅菌処理限度回数を変更できる構成とすることや、複数段階で警告するように設定できる構成とすることで、より施術者の好みを反映した医療用診療装置１とすることができ、施術者にとって快適な施術環境を提供することができる。
【０１６９】
このような構成を有する医療用診療装置１は、加熱処理による滅菌処理が行われるハンドピース３０と、ハンドピース３０を着脱自在に接続する医療用機器本体１０とで構成され、ハンドピース３０に、個別の識別情報Ｌを記憶する識別情報記憶部５２ａと、少なくとも加熱処理の処理温度を測定する温度計測部５６とが備えられ、医療用機器本体１０に、識別情報を読み込んでハンドピース３０を識別するハンドピース識別判定部１１ａが備えられ、医療用機器本体１０に、ハンドピース３０の使用を検知する施術検知部５１ｇと、温度計測部５６で測定した処理温度に関する処理温度情報Ｈに基づく滅菌処理情報および、施術検知部５１ｇの検知結果に基づく使用検知情報Ｕに基づいて、ハンドピース３０の使用の可否を判定する使用判定部１１ｅと、使用判定部１１ｅの判定結果に基づいて所定の動作を行う本体側報知装置１７およびハンドピース側報知部３３とが備えられたことを特徴とすることにより、ハンドピース３０が滅菌処理済か滅菌未処理かを確実に判定できるとともに、滅菌未処理のハンドピース３０の使用を防止できる。
【０１７０】
詳述すると、施術検知部５１ｇを備えていることにより、ハンドピース３０が使用されたことを把握できるうえに、処理温度情報Ｈと使用検知情報Ｕとに基づいて次の患者に対してハンドピース３０の使用の可否を判定するとともに、判定結果に基づいてホルダ光出力部１７ａによる光の点灯や、本体側音声出力部１７ｂによる音を発すること、モニタ１５または本体側報知モニタ１７ｃに判定結果を表示するなどの報知、ハンドピース３０の駆動に係る電気信号を遮断するなどといった所定動作を行うことができる。このような所定動作により、施術者が滅菌未処理のハンドピース３０を誤って次の患者に再使用することを予防できる。
【０１７１】
また、ハンドピース３０に温度計測部５６が備えられていることにより、ハンドピース３０は滅菌処理の処理温度を測定して、その測定結果に基づいてハンドピース３０の滅菌処理が行われたか否かを判定することができる。すなわち、ハンドピース３０を医療用機器本体１０から取り外してオートクレーブによる高温処理の滅菌処理を行った場合でも、処理温度情報Ｈに温度情報などを記録できるため、処理温度情報Ｈを読み込むことでハンドピース３０が滅菌処理されたか否かを判定することができる。  
これにより、ハンドピース３０が滅菌処理済である旨の情報を手入力などすることなく、ハンドピース３０が滅菌処理されたか否かを判定することができる。
【０１７２】
また、時間を測定する計時部５５から時間の読取制御を行う時間読取部５１ｂが備えられ、使用検知情報Ｕに、ハンドピース３０の使用を検知した情報と、少なくとも時間読取部５１ｂで読み込まれたハンドピース３０の使用を終了した終了時間情報とが含まれており、処理温度情報Ｈに基づく滅菌処理情報には、時間読取部５１ｂで読み込まれた処理温度に対応する滅菌処理時間が含まれたことにより、ハンドピース３０を使用した時期と滅菌処理を行った時期の前後関係に基づいて、ハンドピース３０の使用の可否を判定することができる。
【０１７３】
詳述すると、計時部５５および時間読取部５１ｂを備えることにより、滅菌処理時間に基づく滅菌処理時間情報を含む処理温度情報Ｈからハンドピース３０が滅菌処理済か滅菌未処理かを判定できるとともに、終了時間情報を含む使用検知情報Ｕと滅菌処理時間を含む滅菌処理情報とを比較判定することができ、ハンドピース３０の使用時期と滅菌時期との先後を正確に判定できる。
【０１７４】
つまり、使用後に滅菌処理がされていないハンドピース３０が医療用機器本体１０に接続されるか、接続されようとしていることにより本体側報知装置１７やハンドピース側報知部３３による報知が行われる場合の他、ハンドピース３０が滅菌処理済であっても、その後の使用により滅菌未処理となることを本体側報知装置１７およびハンドピース側報知部３３による報知動作でより確実に判定することができる。したがって、施術者が滅菌未処理のハンドピース３０を使用することをより確実に予防できる。
【０１７５】
また、時間読取部５１ｂおよび計時部５５、使用判定部１１ｅ、接続判定部１１ｉを備えることにより、ハンドピース３０と医療用機器本体１０とが接続または離脱した時間を検出することができる。これにより、ハンドピース３０の使用後に滅菌処理を行っているが、つまり、滅菌処理済と判定され使用可能と判定されているが、滅菌処理した時から時間が経過し過ぎているので再度滅菌処理が必要である場合なども判定してハンドピース３０の再使用を防止することができる。
【０１７６】
また、滅菌処理時間は、時間読取部５１ｂで読み込んだ最高温度における滅菌処理の開始時間と、滅菌処理の終了時間との間隔とすることにより、滅菌処理の開始時間と、滅菌処理の終了時間に基づいて、滅菌処理が確実にされているか否かを滅菌処理判定部１１ｄの制御により判定することができる。すなわち、滅菌処理が所望の処理温度で必要な時間かけて行われたかを判定できるため、滅菌処理が十分に行われたか否かをより正確に判定できる。したがって、施術者は確実に滅菌処理が行われたハンドピース３０を用いて、安全に施術をすることができる。
【０１７７】
また、少なくとも処理温度または滅菌処理時間に基づいて滅菌処理を行った滅菌処理回数を算出する滅菌処理回数算出部１１ｈと、滅菌処理回数に基づいてハンドピース３０の交換の要否を判定する交換判定部１１ｋとが備えられ、本体側報知装置１７およびハンドピース側報知部３３は、交換判定部１１ｋの判定結果に基づいて所定の動作を行う構成としたことにより、ハンドピース３０が滅菌処理済であっても、施術者は施術前にハンドピース３０が交換すべきであることを認識でき、使用可能なハンドピース３０に交換することができる。これにより、施術中にハンドピース３０の交換をすることなくスムーズに施術を行うことができるとともに、患者に余計なプレッシャーを与えることを防止できる。
【０１７８】
また、オートクレーブの処理温度や時間をハンドピース３０に応じて最適に設定できる場合には、処理条件に応じて耐久性の判断基準が変わることとなるが、滅菌処理回数算出部１１ｈを備えることにより、各滅菌処理の条件に応じて、基準滅菌処理回数を基準とした滅菌処理回数に換算できるため、滅菌条件が異なっている場合であっても、ハンドピース３０が滅菌処理された回数を算出することができる。これにより、例えば、交換基準情報記憶部１２ｃに予め保存したハンドピース３０の滅菌処理の限度回数と積算滅菌処理回数とを比較判定して、ハンドピース３０の交換の要否を報知でき、施術者はハンドピース３０の交換の要否を把握することができる。
【０１７９】
このように、様々な滅菌処理回数の条件で滅菌処理しても所定の規格にも基づいてハンドピース３０の交換時期を判定することができるため、例えば、ハンドピース３０を、業者が推奨する滅菌処理条件よりも長い時間かけて滅菌処理した場合などであっても、施術者はハンドピース３０の交換時期を把握することができ、施術者は安全に施術を行えるハンドピース３０を選択することができる。
【０１８０】
なお本実施例では、諸条件で行われたハンドピース３０の滅菌処理を、所定の条件で滅菌処理を行った場合を基準とした滅菌処理回数として算出している。具体的には、基準となる滅菌条件に対する滅菌処理温度や滅菌処理時間の違いに対して負荷係数を設けて滅菌処理回数を算出しているが、この方法以外の算出方法であっても良い。例えば、所定の滅菌処理条件に対して予め決定された回数を滅菌処理回数としたり、滅菌処理回数の積算値（以下、積算滅菌処理回数とする）に基づいてハンドピース３０の劣化を考慮して滅菌処理回数を算出しても良い。  
また、滅菌処理回数算出部１１ｈによる判定結果に基づく報知は、ハンドピース３０の内部に備えたモータやＯリングなどハンドピース３０を構成する消耗部品の交換などを報知することもできる。
【０１８１】
また、ハンドピース３０は、ＲＦＩＤ記憶部５２を備えたＲＦＩＤタグ５０が設けられ、医療用機器本体１０は、ハンドピース３０の接近により、非接触で識別情報をＲＦＩＤタグ５０から読取るＲＦＩＤリーダライタ６０が設けられたことを特徴とすることにより、ハンドピース３０を医療用機器本体１０と接触させることなく識別情報Ｌを読み取ることができるため、ハンドピース３０と医療用機器本体１０とを接続することなくハンドピース３０が滅菌処理済かを判定できる。
【０１８２】
したがって、ハンドピース３０を医療用機器本体１０に接続させる必要が無いため、接続しようとするハンドピース３０が滅菌処理を万一行っていない場合であっても医療用機器本体１０が汚染されることを防ぐことが出来る。
【０１８３】
また、ＲＦＩＤタグ５０は、耐熱性の電池が内蔵されているＲＦＩＤで構成されたことを特徴とすることにより、ハンドピース３０と医療用機器本体１０とを接続することなく非接触でハンドピース３０が滅菌処理済かを判定できるとともに、繰り返し加熱処理による滅菌処理を行っても、確実に処理温度を測定できる。  
なお、ＲＦＩＤタグ５０は、アクティブ型の他、セミアクティブ型のＲＦＩＤタグ５０とすることができる。
【０１８４】
また、ハンドピース３０には、医療用機器本体１０に設けられたユニット側接続部４３と接続するハンドピース側接続部３４が備えられ、医療用機器本体１０またはハンドピース３０の少なくとも一方に、ユニット側接続部４３とハンドピース側接続部３４との接続を防止する接続防止形状を形成する突出機構３５が備えられたことにより、滅菌処理を行っていないハンドピース３０と医療用機器本体１０とを接続しようとした場合に、滅菌処理情報に基づいて突出機構３５が接続防止形状を形成することができる。これにより、ハンドピース側接続部３４とユニット側接続部４３との物理的な接続を確実に防止することができるため、施術者は滅菌処理を行っていないハンドピース３０を物理的に医療用機器本体１０に接続することができない。  
したがって、滅菌処理を行っていないハンドピース３０を他の患者に用いることを確実に規制することができ、汚染の問題が生じないようにできる。
【０１８５】
なお、接続防止形状は、本実施例に示すように医療用機器本体１０とハンドピース３０との接続に対して物理的な障害となる接続防止形状である突出機構３５を形成する。なお、突出機構３５は、ユニット側接続部４３またはハンドピース側接続部３４の少なくとも一方の形状を変形させる構成であっても良い。
【０１８６】
具体的には、ユニット側接続部４３またはハンドピース側接続部３４の少なくとも一方の接続部位を陥没させること、ユニット側接続部４３またはハンドピース側接続部３４にそれぞれ備えた凹部と凸部とが嵌合することにより接続する場合に、凸部を凹部に挿入することを防止するように凹部の窪み方向に向けて突出片を突出させること、ユニット側接続部４３およびハンドピース側接続部３４以外の位置に設けた突出機構３５を所定の位置を中心として枢動することで突出機構３５が接続を防止する位置に配置される構成などであっても良い。すなわち、ユニット側接続部４３またはハンドピース側接続部３４との接続を防止できる形状であればどのような形状であっても良い。  
なお、突出片が接続を防止する位置に突出する場合においては、突出片の突出方向はハンドピース３０の長手軸方向であっても良いし、径方向や斜め方向であっても良い。
【０１８７】
また、使用判定部１１ｅの制御によるハンドピース３０の使用が不可であるとの判定結果に基づき、ハンドピース３０の使用を駆動制御部１１ｆの制御により規制、すなわちハンドピース３０の操作を行う操作信号を受けても動作しないようにすることで、施術者は滅菌未処理と判定されたハンドピース３０を施術に使用することができず、誤って滅菌未処理のハンドピース３０が施術に使用されることを規制できる。
【０１８８】
また、医療用機器本体１０からハンドピース３０に送られる操作信号によりハンドピース３０の作動を禁止する駆動制御部１１ｆが備えられたことを特徴とすることにより、ハンドピース３０が滅菌未処理と判定した場合に、駆動制御部１１ｆの制御により医療用機器本体１０からハンドピース３０への操作信号が遮断され、ハンドピース３０の駆動が規制される。したがって、施術者が誤って他の患者にハンドピース３０を用いて施術することを防止できる。
【０１８９】
また、ユニット側接続部４３またはハンドピース側接続部３４の少なくとも一方には、ユニット側接続部４３とハンドピース側接続部３４との接近を検出する接続判定部１１ｉと、接続判定部１１ｉでの検出結果に基づいて、ユニット側接続部４３とハンドピース側接続部３４との接近に関して報知する本体側報知装置１７およびハンドピース側報知部３３とが備えられたことにより、ユニット側接続部４３とハンドピース側接続部３４とが接近したことを検出して報知することができる。このため、例えばハンドピース３０が滅菌処理を行ったか否かにかかわらず、ユニット側接続部４３とハンドピース側接続部３４とを接続する前にハンドピース３０の滅菌処理を行っているかを確認する機会を得ることができる。これにより、施術者は接続が完了する前にハンドピース３０が滅菌処理を施しているかをより確実に確認でき、滅菌未処理のハンドピース３０の使用を予防できる。  
したがって、施術者はハンドピース３０の状態を確認したうえで医療用機器本体１０にハンドピース３０を接続することができるため、滅菌処理をしていないハンドピース３０の接続を予防することができる。
【０１９０】
また、施術検知部５１ｇの検知結果に基づいて、少なくとも使用されたハンドピース３０の使用をハンドピース３０毎に報知するホルダ光出力部１７ａがホルダ１４に備えられたことにより、ホルダ光出力部１７ａの点灯によりハンドピース３０の使用を明確に判別できるとともに、各ハンドピース３０に対してそれぞれ使用を報知することができるため、次の患者の施術を行う場合に交換すべきハンドピース３０を容易に判断できる。したがって、施術者は交換すべきハンドピース３０を明確かつ容易に判断することができ、使用されたハンドピース３０に対して滅菌処理を行うことにより衛生的な施術を行うことができる。
【０１９１】
また、ホルダ光出力部１７ａを、ハンドピース３０を配置するホルダ１４に設けることにより、交換すべきハンドピース３０毎にランプ等を点灯させることができる。これにより、施術者が次の患者に対して施術を行うに当り、点灯したランプが必ず視野に入るため、一旦使用されたハンドピース３０のみを滅菌処理すれば良いことに気付き、更に滅菌未処理のハンドピース３０の再使用を控えることが出来る。
【０１９２】
また、ハンドピース３０の取替を検出する接続判定部１１ｉとハンドピース識別判定部１１ａと、滅菌処理情報に基づいて報知部によるハンドピース３０の使用報知を解除する駆動制御部１１ｆおよび本体側報知動作処理部１１ｇとが備えられたことにより、滅菌処理済のハンドピース３０と取り替えることで本体側報知装置１７などでの使用報知が解除される。このため、施術者が滅菌処理済み、すなわち施術に使用できるハンドピース３０が備えられていることを認識でき、施術者はハンドピース３０が取替られたか否かを気にすることなく施術に集中することができる。
【０１９３】
また、所定の報知動作を行う本体側報知装置１７およびハンドピース側報知部３３などが備えられたことにより、ブザーやメロディなどの音の出力や光の点滅や点灯、またはハンドピース３０の振動などの方法で、ハンドピース３０を滅菌処理したか否かを報知することができる。すなわち、施術者は視覚や聴覚、又は触覚のいずれか一つ以上により、滅菌処理を行ったハンドピース３０かを認識することができる。したがって、施術者は滅菌処理を行っていないハンドピース３０を確実に医療用機器本体１０に接続することを予防できる。
【０１９４】
また、報知部が、発光が可能な光出力部で構成することにより、施術者は、医療用機器本体１０に対して相対的に接近しているハンドピース３０が滅菌処理を行っているか否かを視覚で容易に認識でき、施術者は滅菌処理を行っていないハンドピース３０を確実に医療用機器本体１０に接続することを予防できる。
【０１９５】
なお、ホルダ光出力部１７ａおよびハンドピース側報知部３３は、ＬＥＤ光源を用いているが、例えばハロゲン電球などの、光を発することができる光源、また光出力部は単一の光源や複数の光源であっても良い。  
また、１９ａおよびハンドピース側報知部３３は、例えば医療用機器本体１０とハンドピース３０との接続部位近辺に設けてある場合や、施術患部を照射する患部照明用光源であってもよい。
【０１９６】
また、本体側報知装置１７およびハンドピース側報知部３３として機能し、警告表示を表示するモニタ１５および本体側報知モニタ１７ｃが備えられたことにより、警告表示がモニタ１５および本体側報知モニタ１７ｃに表示されるため、施術者は視覚にて警告内容を明確に認識することができる。また、モニタ１５および本体側報知モニタ１７ｃに文章として表示することが可能であるため、施術者は音や光での報知と比べて、より詳細な警告理由を具体的に知ることができる。
【０１９７】
なお、警告表示をモニタ１５などに表示することは、画像や文字、文章などによる警告表示を表示部に表示するや、警告表示に加えてハンドピース３０の識別情報Ｌを表示部に表示する場合や、滅菌処理の指示などの対処方法をモニタ１５に表示するなどでもよい。
【０１９８】
この発明の構成と、上述の実施例との対応において、
医療用施術具は、ハンドピース３０に対応し、
温度測定部は、温度計測部５６に対応し、
識別部は、ハンドピース識別判定部１１ａに対応し、
所定動作部は、本体側報知装置１７およびハンドピース側報知部３３
時間読取制御部は、時間読取部５１ｂに対応し、
滅菌処理回数処理部は、滅菌処理回数算出部１１ｈに対応し、
識別体は、ＲＦＩＤタグ５０に対応し、
読取部は、ＲＦＩＤリーダライタ６０に対応し、
本体側接続部は、ユニット側接続部４３に対応し、
施術具側接続部は、ハンドピース側接続部３４に対応し、
接続障害部は、突出機構３５に対応し、
接近検出部は、接続判定部１１ｉに対応し、
接近報知部は、本体側報知装置１７およびハンドピース側報知部３３に対応し、
使用報知部および報知部は、ホルダ光出力部１７ａに対応し、
取替検出部は、接続判定部１１ｉとハンドピース識別判定部１１ａに対応し、
報知解除部は、駆動制御部１１ｆおよび本体側報知動作処理部１１ｇに対応し、
警告表示部は、本体側報知モニタ１７ｃおよびモニタ１５に対応するが、この発明は、上述の実施例の構成のみに限定されるものではなく、多くの実施の形態を得ることができる。
【０１９９】
例えば、本実施例において、計時部５５はハンドピース３０に設けられているが、必ずしもハンドピース３０に設ける必要はなく、医療用機器本体１０に設けても良く、また両方に設けた構成であっても良い。  
なお、医療用機器本体１０とハンドピース３０の両方に計時部５５を設けた場合には、両方の時間を合わせることにより正確な時間の対比を行えるようにできる。
【０２００】
また、例えば、温度読取部５１ａや時間読取部５１ｂなどをハンドピース３０に設けているが、医療用機器本体１０に設けても良い。  
また、滅菌処理回数算出部１１ｈを、ハンドピース３０に設ける構成としても良い。この構成により、オートクレーブによる滅菌処理を行いながら、滅菌処理回数を算出することができるため、オートクレーブが完了した段階で部品などの交換が必要か否かを判定することができる。
【０２０１】
また、この発明の態様として、患者の交代を検出するための交代検出部を設けても良い。交代を検出するとは、例えば次の患者のカルテが新たに読み込まれた場合や、チェアーユニット７０にチェアーに座った患者の体重を計測する計測装置を設けた場合、画像判定システムを設けて患者の交代を検出するなど、多種多様な方法が考えられる。
【０２０２】
また、本実施例において、光学的な接近検知センサー４３５を用いて接続を検知しているが、例えば、ハンドピース３０には識別可能なそれぞれ異なる特定の値の抵抗、コイル、コンデンサ等が備えられ、それを医療用機器本体側で識別し接続を判定する構成としても良い。この場合には、接続されてから接続を判定する構成であるので接続されたハンドピース３０が滅菌処理されていない場合には、使用を妨げる構成となる。
【０２０３】
また、本実施例において、識別体としてＲＦＩＤタグ５０を使用しているが、識別情報Ｌを通信できる構成であればどのような構成であっても良く、接続により識別情報Ｌ通信する例として、医療用施術具毎に予め備えたそれぞれ異なる特定の値の抵抗、コイル、コンデンサ等を用いても良い。これらの識別体を使用する場合は、接続チューブ４２内に配置される電線等を介して医療用機器本体１０に識別信号が伝送される。また、読取部としては、上記医療用機器本体１０に備えられているハンドピース識別判定部１１ａでハンドピース３０の識別を行うことができる。
【０２０４】
また、本実施例において、識別情報Ｌと使用検知情報Ｕと処理温度情報Ｈとを別々の情報としてＲＦＩＤ記憶部５２に記憶させているが、識別情報Ｌ以外は医療用施術具１０に記憶させて、識別情報Ｌに基づいて読み出される構成であっても良い。
【０２０５】
さらに、識別情報Ｌは、使用検知情報Ｕと処理温度情報Ｈを含んだ情報としても良い。このように識別情報Ｌに使用検知情報Ｕと処理温度情報Ｈを含ませることにより、ハンドピース３０に情報を集約することができる。これにより、例えば複数台の医療用機器本体１０にハンドピース３０を接続する場合に、ハンドピース３０に記憶する情報のみに基づいて、ハンドピース３０が使用できるか否かを判定できる。
【０２０６】
滅菌処理回数算出部１１ｈは、処理温度情報Ｈに記憶された温度情報と時間情報とに基づいてハンドピース３０が行った滅菌処理の回数を算出する処理部である。具体的には、ハンドピース３０を滅菌処理温度１２１℃、滅菌処理時間２０分で滅菌処理した場合の滅菌処理回数を１回とし、滅菌処理温度を１２１℃、滅菌処理時間３０分とした場合には、基準となる滅菌処理回数に例えば１．４倍乗算して滅菌処理回数を算出する。
【符号の説明】
【０２０７】
１      医療用診療装置
１０    医療用機器本体
１１ａ  ハンドピース識別判定部
１１ｉ  接続判定部
１１ｆ  駆動制御部
１１ｇ  本体側報知動作処理部
１１ｈ  滅菌処理回数算出部
１７    本体側報知装置
１７ａ  ホルダ光出力部
２０    歯科診療用インスツルメント
３０    ハンドピース
３３    ハンドピース側報知部
３４    ハンドピース側接続部
３５    突出機構
４０    接続ユニット
４３    ユニット側接続部
５０    ＲＦＩＤタグ
５１    時間読取部
５５    計時部
５６    温度計
６０    ＲＦＩＤリーダライタ
Ｌ      識別情報
Ｕ      使用検知情報
Ｈ      処理温度情報
【図１】
0006426596.tif 000002
【図２】
0006426596.tif 000003
【図３】
0006426596.tif 000004
【図４】
0006426596.tif 000005
【図５】
0006426596.tif 000006
【図６】
0006426596.tif 000007
【図７】
0006426596.tif 000008
【図８】
0006426596.tif 000009
【図９】
0006426596.tif 000010
【図１０】
0006426596.tif 000011
【図１１】
0006426596.tif 000012
【図１２】
0006426596.tif 000013
【図１３】
0006426596.tif 000014